(57)【要約】【課題】側面の一部を収納部として使用できる箱体において、ある部材を他の部材に挿通させる操作やある部材を他の部材に係合させる操作が必要なく、収納部を構成するための操作が容易であり、前後方向に広い収納スペースを確保できる箱体を提供する。【解決手段】正面部１０は、正面前板部１１０と、ポケット前部前板部１１２と、ポケット前部後板部１１４と、連結板部１１６と、支持板部１１８と、ポケット上部左板部１２０と、ポケット上部右板部１２２と、正面後板部１２４と、接着片部１２６とを有し、折れ線Ｃ２１ａ〜Ｃ２１ｃを介して折り返され、ポケット前部後板部１１４はポケット前部前板部１１２に接着し、正面後板部１２４は正面前板部１１０に接着し、接着板部１２０は、第１片部６０に接着している。支持板部１１８は、ポケットを展開状態にする際に、傾斜前板部１１２の裏面を押す突状部１１８−１、１１８−２を有している。【選択図】図６
2018016322.tif 000002
【特許請求の範囲】
【請求項１】
箱体であって、
底面部（５０）と、
底面部の各辺から立設し底面部に対して略直角をなす側面構成部で、第１側面部（１０）と、第１側面部の両側に隣り合う第２側面部（２０）及び第３側面部（３０）を有する側面構成部（５）と、
を有し、
箱体が、シート状のブランクにより形成され、
第１側面部が、
底面部から連設されるとともに、第２側面部及び第３側面部と隣り合う基部前板部（１１０）と、
基部前板部の上側に第１切目線（１１０Ｋ）を介して連設されたポケット前部前板部（１１２）と、
ポケット前部前板部の基部前板部側とは反対側の辺部である上辺から第１折れ線（Ｃ２１ｃ）を介して連設され、ポケット前部前板部と接着されたポケット前部後構成部（１１３）と、
ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、
ポケット前部前板部の基部前板部側とは反対側の辺部である上辺で第１折れ線の両側の部分における一方から第３折れ線（Ｃ２１ａ）を介して連設された第１ポケット上部板部（１２０）と、
ポケット前部前板部の基部前板部側とは反対側の辺部である上辺で第１折れ線の両側の部分における他方から第４折れ線（Ｃ２１ｂ）を介して連設された第２ポケット上部板部（１２２）と、
支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側の面に接着して設けられた基部後板部（１２４）と、
を有し、
第１折れ線と第２折れ線と第３折れ線と第４折れ線と第５折れ線と第６折れ線と第７折れ線は平行に形成され、
第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、
第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、
ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置されることを特徴とする箱体。
【請求項２】
基部後板部の支持板部側とは反対側の辺部から折れ線を介して接着板部（１２６）が連設され、接着板部は、基部前板部から連設された底面部に接着されていることを特徴とする請求項１に記載の箱体。
【請求項３】
箱体であって、
底面部（５０）と、
底面部の各辺から立設し底面部に対して略直角をなす側面構成部で、第１側面部（１０）と、第１側面部の両側に隣り合う第２側面部（２０）及び第３側面部（３０）を有する側面構成部（５）と、
を有し、
箱体が、シート状のブランクにより形成され、
第１側面部が、
底面部から連設されるとともに、第２側面部及び第３側面部と隣り合う基部前板部（１１０）と、
基部前板部の上側に第１切目線（１１０Ｋ）を介して連設されたポケット前部前板部（１１２）と、
ポケット前部前板部の基部前板部側とは反対側の辺部である上辺から第１折れ線（Ｃ２１ｃ）を介して連設され、ポケット前部前板部と接着されたポケット前部後構成部（１１３）と、
ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、
ポケット前部前板部の基部前板部側とは反対側の辺部である上辺で第１折れ線の両側の部分における一方から第３折れ線（Ｃ２１ａ）を介して連設された第１ポケット上部板部（１２０）と、
ポケット前部前板部の基部前板部側とは反対側の辺部である上辺で第１折れ線の両側の部分における他方から第４折れ線（Ｃ２１ｂ）を介して連設された第２ポケット上部板部（１２２）と、
支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側に設けられた基部後板部（１２４）と、
基部後板部の支持板部側とは反対側の辺部から第８折れ線（Ｃ２６）を介して連設された接着板部で、基部前板部から連設された該底面部に接着された接着板部（１２６）と、
を有し、
第１折れ線と第２折れ線と第３折れ線と第４折れ線と第５折れ線と第６折れ線と第７折れ線は平行に形成され、
第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、
第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、
ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置されることを特徴とする箱体。
【請求項４】
ポケット前部後構成部が、ポケット前部前板部と接着されたポケット前部後板部（１１４）と、ポケット前部後板部に折れ線（Ｃ２３）を介して連設されるとともに、支持板部に該第２折れ線を介して連設された連結板部で、第１突状部と第２突状部の間の位置に設けられた連結板部（１１６）とを有し、
支持板部の基部後板部に対する回動角度が固定された状態では、支持板部がポケット前部前板部に対して略直角をなし、連結板部は、ポケット前部後板部及び支持板部に対して傾斜した状態となることを特徴とする請求項１又は２又は３に記載の箱体。
【請求項５】
支持板部は、第２切目線の第２折れ線側とは反対側の端部から連設されるとともに第５折れ線の一方の端部から連設された第４切目線（１１８Ｋｃ）を介して基部後板部と隣接するとともに、第３切目線の第２折れ線側とは反対側の端部から連設されるとともに第５折れ線の他方の端部から連設された第５切目線（１１８Ｋｄ）を介して基部後板部と隣接し、
第１ポケット上部板部は、第３折れ線と直角をなす第６切目線（１２０Ｋ）を介してポケット前部後構成部と隣接し、
第２ポケット上部板部は、第４折れ線と直角をなす第７切目線（１２２Ｋ）を介してポケット前部後構成部と隣接し、
基部後板部は、第６切目線の第６折れ線側の端部から第２切目線と第４切目線の接点まで形成された第８切目線（１２４Ｋａ）と、第７切目線の第７折れ線側の端部から第３切目線と第５切目線の接点まで形成された第９切目線（１２４Ｋｂ）を介してポケット前部後構成部と隣接していることを特徴とする請求項１又は２又は３又は４に記載の箱体。
【請求項６】
第２切目線と第３切目線と第８切目線と第９切目線とが切断予定線により形成されていることを特徴とする請求項５に記載の箱体。
【請求項７】
基部前板部には、ポケット前部前板部と接する切欠部（１０ｈａ）が形成され、さらに、基部後板部における切欠部の背面側の領域には、開口部（１０ｈｂ）が形成され、該切欠部及び該開口部に指を挿入して、ポケット前部前板部の端部をつかんで正面側に引っ張ることにより、第１切目線が切断されることを特徴とする請求項１又は２又は３又は４又は５又は６に記載の箱体。
【請求項８】
包装箱であって、
内箱部（Ａ）と外箱部（Ｂ）とを有し、
内箱部が、
底面部（５０）と、
底面部の各辺から立設し底面部に対して略直角をなす内側スリーブ状部で、第１内箱部側面部（３０）と、第２内箱部側面部（１０）と、第３内箱部側面部（２０）と、第４内箱部側面部（４０）を有し、内箱部を箱状に組み立てた状態では、互いに隣接する側面部が略直角をなす内側スリーブ状部（５）と、を有し、
第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、
内箱部における分離部が設けられた内箱部側面部以外の内箱部側面部である特定内箱部側面部（１０）が、
底面部から連設されるとともに、特定内箱部側面部が隣接する内箱部側面部と隣り合う基部前板部（１１０）と、
基部前板部の上側に第１切目線（１１０Ｋ）を介して連設されたポケット前部前板部（１１２）と、
ポケット前部前板部の基部前板部側とは反対側の辺部である上辺から第１折れ線（Ｃ２１ｃ）を介して連設され、ポケット前部前板部と接着されたポケット前部後構成部（１１３）と、
ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、
ポケット前部前板部の基部前板部側とは反対側の辺部である上辺で第１折れ線の両側の部分における一方から第３折れ線（Ｃ２１ａ）を介して連設された第１ポケット上部板部（１２０）と、
ポケット前部前板部の基部前板部側とは反対側の辺部である上辺で第１折れ線の両側の部分における他方から第４折れ線（Ｃ２１ｂ）を介して連設された第２ポケット上部板部（１２２）と、
支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側の面に接着して設けられた基部後板部（１２４）と、
を有し、
第１折れ線と第２折れ線と第３折れ線と第４折れ線と第５折れ線と第６折れ線と第７折れ線は平行に形成され、
第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、
内側右側面部において、内側右側面部の一部が第１分離部（２４）として第１分離部以外の部分である内側右側面部本体部（２２）と切目線（２４ａ）を介して分離可能に形成され、
内側左側面部において、内側左側面部の一部が第２分離部（３４）として第２分離部以外の部分である内側左側面部本体部（３２）と切目線（３４ａ）を介して分離可能に形成され、
外箱部が、
内箱部の外側の面に沿って設けられた外側スリーブ状部で、第１内箱部側面部の外側の面に沿って形成された第１外箱部側面部（２３０）と、第２内箱部側面部の外側の面に沿って形成された第２外箱部側面部（２１０）と、第３内箱部側面部の外側の面に沿って形成された第３外箱部側面部（２２０）と、第４内箱部側面部の外側の面に沿って形成された第４外箱部側面部（２４０）とを有士、外箱部を箱状に組み立てた状態では、互いに隣接する側面部が略直角をなす外側スリーブ状部（２０５）と、
外側スリーブ状部の上端から折れ線を介して連設された蓋部と、を有し、
内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離し、
第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、
ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置されることを特徴とする包装箱。
【請求項９】
基部後板部の支持板部側とは反対側の辺部から折れ線を介して接着板部（１２０）が連設され、接着板部は、基部前板部から連設された底面部に接着されていることを特徴とする請求項８に記載の包装箱。
【請求項１０】
ポケット前部後構成部が、ポケット前部前板部と接着されたポケット前部後板部（１１４）と、ポケット前部後板部に折れ線（Ｃ２３）を介して連設されるとともに、支持板部に該第２折れ線を介して連設された連結板部で、第１突状部と第２突状部の間の位置に設けられた連結板部（１１６）とを有し、
支持板部の基部後板部に対する回動角度が固定された状態では、支持板部がポケット前部前板部に対して略直角をなし、連結板部は、ポケット前部後板部及び支持板部に対して傾斜した状態となることを特徴とする請求項８又は９に記載の包装箱。
【請求項１１】
支持板部は、第２切目線の第２折れ線側とは反対側の端部から連設されるとともに第５折れ線の一方の端部から連設された第４切目線（１１８Ｋｃ）を介して基部後板部と隣接するとともに、第３切目線の第２折れ線側とは反対側の端部から連設されるとともに第５折れ線の他方の端部から連設された第５切目線（１１８Ｋｄ）を介して基部後板部と隣接し、
第１ポケット上部板部は、第３折れ線と直角をなす第６切目線（１２０Ｋ）を介してポケット前部後構成部と隣接し、
第２ポケット上部板部は、第４折れ線と直角をなす第７切目線（１２２Ｋ）を介してポケット前部後構成部と隣接し、
基部後板部は、第６切目線の第６折れ線側の端部から第２切目線と第４切目線の接点まで形成された第８切目線（１２４Ｋａ）と、第７切目線の第７折れ線側の端部から第３切目線と第５切目線の接点まで形成された第９切目線（１２４Ｋｂ）を介してポケット前部後構成部と隣接していることを特徴とする請求項８又は９又は１０に記載の包装箱。
【請求項１２】
第２切目線と第３切目線と第８切目線と第９切目線とが切断予定線により形成されていることを特徴とする請求項１１に記載の包装箱。
【請求項１３】
包装箱であって、内箱部（Ａ）と、外箱部（Ｂ）とを有し、内箱部が、第１内箱部側面部（３０）と第２内箱部側面部（１０）と第３内箱部側面部（２０）と第４内箱部側面部（４０）と第４内箱部側面部から連設された内箱部糊代部とを有し、第１内箱部側面部、第２内箱部側面部、第３内箱部側面部、第４内箱部側面部、内箱部糊代部の順に連設され、内箱部を箱状に組み立てた状態では、互いに隣接する側面部が略直角をなす内側スリーブ状部で、第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成された内側スリーブ状部（５）と、内側スリーブ状部の下端から連設された底面部で、第１内箱部側面部の下辺から連設された底面部第１片部（８０）と、第２内箱部側面部の下辺から連設された底面部第２片部（１０）と、第３内箱部側面部の下辺から連設された底面部第３片部（７０）と、第４内箱部側面部の下辺から連設された底面部第４片部（９０）とを有する底面部（５０）と、を有し、
外箱部が、第１内箱部側面部の外側の面に沿って形成された第１外箱部側面部（２３０）と、第２内箱部側面部の外側の面に沿って形成された第２外箱部側面部（２１０）と、第３内箱部側面部の外側の面に沿って形成された第３外箱部側面部（２２０）と、第４内箱部側面部の外側の面に沿って形成された第４外箱部側面部（２４０）と、第１外箱部側面部から連設された外箱部糊代部（２４２）とを有し、外箱部糊代部、第１外箱部側面部、第２外箱部側面部、第３外箱部側面部、第４外箱部側面部の順に連設され、外箱部を箱状に組み立てた状態では、互いに隣接する側面部が略直角をなす外側スリーブ状部と、外側スリーブ状部の上端から折れ線を介して連設された蓋部とを有し、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離する包装箱で、
内箱部における分離部が設けられた内箱部側面部以外の内箱部側面部である特定内箱部側面部（１０）が、
底面部から連設されるとともに、第２側面部及び第３側面部と隣り合う基部前板部（１１０）と、
基部前板部の上側に第１切目線（１１０Ｋ）を介して連設されたポケット前部前板部（１１２）と、
ポケット前部前板部の基部前板部側とは反対側の辺部である上辺から第１折れ線（Ｃ２１ｃ）を介して連設され、ポケット前部前板部と接着されたポケット前部後構成部（１１３）と、
ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、
ポケット前部前板部の基部前板部側とは反対側の辺部である上辺で第１折れ線の両側の部分における一方から第３折れ線（Ｃ２１ａ）を介して連設された第１ポケット上部板部（１２０）と、
ポケット前部前板部の基部前板部側とは反対側の辺部である上辺で第１折れ線の両側の部分における他方から第４折れ線（Ｃ２１ｂ）を介して連設された第２ポケット上部板部（１２２）と、
支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側を正面側とした場合に、ポケット前部前板部の背面側に設けられた基部後板部（１２４）と、
基部後板部の支持板部側とは反対側の辺部から第８折れ線（Ｃ２６）を介して連設された接着板部で、基部前板部から連設された該底面部に接着された接着板部（１２６）と、
を有し、
第１折れ線と第２折れ線と第３折れ線と第４折れ線と第５折れ線と第６折れ線と第７折れ線は平行に形成され、
第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、
基部前板部と底面部間の折れ線と第１折れ線間の長さ（Ｌ１１）が、第８折れ線と第１折れ線間の長さ（Ｌ１２）と略同一に形成され、
第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、
ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置され、
内箱部と外箱部とがそれぞれ１枚のブランクにより形成された包装箱の製造方法であって、
展開状態の外箱部に展開状態の内箱部を接着する第１接着工程であって、第１外箱部側面部に第１内箱部側面部を重ね、第２外箱部側面部に第２内箱部側面部を重ね、第３外箱部側面部に第３内箱部側面部を重ね、第４外箱部側面部に第４内箱部側面部を重ねた状態で、外箱部の回動片部と内箱部の分離部とを接着させ、外箱部に内箱部を接着した状態では、接着板部の少なくとも一部が外箱部に重ならない非重なり領域となる第１接着工程と、
底面部第１片部と底面部第２片部と底面部第３片部と底面部第４片部の４つの片部において特定内箱部側面部の下辺から連設された片部と接着板部のいずれかと、ポケット前部前板部とポケット前部後構成部のいずれかに接着剤を塗布した状態で、特定内箱部側面部において、接着板部の非重なり領域に係止用部材（３００）を係止することにより、第１折れ線よりも接着板部側である先端側の領域を第１折れ線を介して折り返して、特定内箱部側面部の下辺から連設された片部と接着板部とを接着し、ポケット前部前板部とポケット前部後構成部を接着する第２接着工程と、
外箱部の第１外箱部側面部を第２外箱部側面部に対して折り返す折り返し工程と、
外箱部糊代部と第１外箱部側面部における外箱部糊代部が接着する領域のいずれかと、内箱部糊代部と第４内箱部側面部における内箱部糊代部が接着する領域のいずれかとに接着剤を塗布した状態で、外箱部の第４外箱部側面部を第３外箱部側面部に対して折り返すことにより、外箱部糊代部と第１外箱部側面部とを接着し、内箱部糊代部と第４内箱部側面部とを接着する第３接着工程と、を有することを特徴とする包装箱の製造方法。
【請求項１４】
第２接着工程において、基部前板部と基部後板部のいずれかに接着剤を塗布した状態で、特定内箱部側面部において、第１折れ線よりも接着板部側である先端側の領域を第１折れ線を介して折り返して、基部前板部と基部後板部を接着することを特徴とする請求項１３に記載の包装箱の製造方法。
【請求項１５】
製造される包装箱において、底面部が、ワンタッチ底により形成されていて、底面部第１片部と底面部第２片部のいずれか一方における他方の側の部分である第１端部領域（６４）が折れ線を介して折曲げ可能であり、該第１端部領域が底面部第１片部と底面部第２片部の他方に接着され、底面部第３片部と底面部第４片部のいずれか一方における他方の側の部分である第２端部領域（８４）が折れ線を介して折曲げ可能であり、該第２端部領域が底面部第３片部と底面部第４片部の他方に接着され、
折り返し工程において、内箱部の底面部を構成する底面部第１片部と底面部第２片部を内側スリーブ状部に対して折り返し第１端部領域を外側に折り返すとともに、第１端部領域と、底面部第１片部と底面部第２片部の他方における該第１端部領域が接着する領域とのいずれかに接着剤を塗布した状態で、外箱部の第１外箱部側面部を第２外箱部側面部に対して折り返すことにより、第１端部領域と、底面部第１片部と底面部第２片部の他方とを接着し、
第２接着工程において、内箱部の底面部を構成する底面部第３片部と底面部第４片部を内側スリーブ状部に対して折り返し第２端部領域を外側に折り返すとともに、第２端部領域と、底面部第３片部と底面部第４片部の他方における該第２端部領域が接着する領域とのいずれかとに接着剤を塗布した状態で、外箱部の第４外箱部側面部を第３外箱部側面部に対して折り返すことにより、第２端部領域と、底面部第３片部と底面部第４片部の他方とを接着することを特徴とする請求項１３又は１４に記載の包装箱の製造方法。
【請求項１６】
第２接着工程と折り返し工程の間に、内箱部の底面部を構成する底面部第１片部と底面部第２片部と底面部第３片部と底面部第４片部を内側スリーブ状部に対して折り返すとともに、第１端部領域と第２端部領域を外側に折り返す第２折り返し工程と、第２端部領域と、底面部第３片部と底面部第４片部の他方における該第２端部領域が接着する領域とのいずれかに接着剤を塗布する第１接着剤塗布工程を有し、また、折り返し工程と第３接着工程の間に、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布する第２接着剤塗布工程とを有することを特徴とする請求項１５に記載の包装箱の製造方法。
【請求項１７】
第２接着工程と折り返し工程の間に、内箱部の底面部を構成する底面部第３片部と底面部第４片部を内側スリーブ状部に対して折り返すとともに第２端部領域を外側に折り返し、その後、第２端部領域と、底面部第３片部と底面部第４片部の他方における該第２端部領域が接着する領域とのいずれかに接着剤を塗布する第１折り返し・接着剤塗布工程を有することを特徴とする請求項１５に記載の包装箱の製造方法。
【請求項１８】
折り返し工程と第３接着工程と第４接着工程の間に、内箱部の底面部を構成する底面部第１片部と底面部第２片部を内側スリーブ状部に対して折り返すとともに第１端部領域を外側に折り返し、その後、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布する第２折り返し・接着剤塗布工程を有することを特徴とする請求項１５又は１７に記載の包装箱の製造方法。
【請求項１９】
第２接着工程と折り返し工程の間に、第２端部領域と、底面部第３片部と底面部第４片部の他方における該第２端部領域が接着する領域とのいずれかに接着剤を塗布し、その後、底面部第３片部と底面部第４片部を内側スリーブ状部に対して折り返すとともに第２端部領域を外側に折り返した状態とする第１接着剤塗布・折り返し工程を有することを特徴とする請求項１５に記載の包装箱の製造方法。
【請求項２０】
折り返し工程と第３接着工程の間に、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布し、その後、内箱部の底面部を構成する底面部第１片部と底面部第２片部を内側スリーブ状部に対して折り返すとともに第１端部領域を外側に折り返した状態とする第２接着剤塗布・折り返し工程を有することを特徴とする請求項１５又は１９に記載の包装箱の製造方法。
【請求項２１】
蓋部が、第１外箱部側面部の上辺から連設された第１蓋部片部（２６０）と、第２外箱部側面部の上辺から連設された第２蓋部片部（２７０）と、第３外箱部側面部の上辺から連設された第３蓋部片部（２８０）と、第４外箱部側面部の上辺から連設された第４蓋部片部（２９０）とを有し、第１接着工程で、外箱部に内箱部を接着した際に、接着板部における一部の領域は、第１蓋部片部と第２蓋部片部と第３蓋部片部と第４蓋部片部において、第１外箱部側面部と第２外箱部側面部と第３外箱部側面部と第４外箱部側面部の４つの外箱部側面部の中で特定内箱部側面部に対応する外箱部側面部（２１０）から連設された蓋部片部である特定蓋部片部（２６０）と重なり、接着板部の他の領域は、該特定蓋部片部とは重ならないことを特徴とする請求項１３又は１４又は１５又は１６又は１７又は１８又は１９又は２０に記載の包装箱の製造方法。
【発明の詳細な説明】
【技術分野】
【０００１】
本発明は、商品を展示するための箱体に関するものであり、特に、側面の一部を収納部として使用できる箱体に関するものである。
【背景技術】
【０００２】
商品を展示するための箱体で、側面の一部を収納部として使用できるものとして、出願人は、特許文献１〜４に記載の出願を行っている。
【０００３】
すなわち、特許文献１の包装箱においては、正面部１０は、正面本体部１２と、折り出し板部２００、２０２と、ポケット正面板部２１０と、ポケット背面板部２２０と、ポケット中間板部２３０とを有し、折り出し板部２００、２０２を正面側に引き出してポケット中間板部２３０とポケット背面板部２２０とを背面側に折り曲げて、係止片２２４を一対の折り出し板部間の開口部に挿通することによりポケットが形成される。なお、ポケット正面板部２１０とポケット背面板部２２０と折り出し板部２００、２０２は、側面視において略三角形状を呈する
また、特許文献２の実施例２に示す包装箱においては、内箱部の正面部１０が、正面本体部１２と、正面部の上方の先端の先端部１８と、先端部から折れ線を介して連設された傾斜板部１６と、傾斜板部１６と正面本体部１２間に設けられた第１前開部１４−１と第２前開部１４−２とを有し、傾斜板部１６は、突状部１６Ａ、１６Ｂを有し、切込みＫ１６、Ｋ１８を正面本体部１２の突出部１２Ａ、１２Ｂに係止させて、傾斜板部１６が正面側斜め上方を向いた状態に固定され、傾斜板部１６と第２前開部１４−２と第１前開部１４−１とで開口部１６Ｃを開口部分とするポケットが構成される。
【０００４】
また、特許文献３の実施例２に示す包装箱においては、内箱部の正面部１０が、正面本体部１２と、正面部の上方の先端の先端部１８と、先端部から折れ線を介して連設された傾斜板部１６と、傾斜板部と正面本体部間に設けられた前開部１４、１５とを有し、先端部１８の切欠部Ｋ１８、Ｋ１９を切込みＫ１３、Ｋ１４に係止することにより、先端部１８を前開部１４に係合させて、傾斜板部１６が正面側斜め上方を向いた状態に固定され、傾斜板部１６と第２前開部１５と第１前開部１４とで切欠部Ｋ１６により形成された開口部を開口部分とするポケットが構成される。
【０００５】
また、特許文献４の包装箱においては、内箱部Ａ１の一部を組み立てることにより、収納部Ｓが形成される。すなわち、収納部背面構成部１２ａと、収納部底面構成部１２ｂと、収納部正面構成部１２ｃと、収納部正面裏側構成部１２ｄと、収納部底面内側構成部１２ｅと、収納部側面構成部２６、３６と、収納部正面構成部２８、３８とで収納部Ｓが構成される。
【０００６】
また、特許文献５の段ボール箱においては、上側フラップが、天井部１５と、天井部１５の先端縁から延出する上側仕切壁部１７とを有し、下側フラップが、底板部と、底板部の先端縁から延出する下側仕切壁部２８とを有し、上側仕切壁部１７及び下側仕切壁部２８の先端縁に設けられた係合構造同士が、四角筒状部内で係合されることにより収納スペースが形成される。
【先行技術文献】
【特許文献】
【０００７】
【特許文献１】実用新案登録第３１６８８７４号公報
【特許文献２】実用新案登録第３１７９７５８号公報
【特許文献３】実用新案登録第３１７９７５９号公報
【特許文献４】実用新案登録第３１４７０８５号公報
【特許文献５】実用新案登録第３１５１７６０号公報
【発明の概要】
【発明が解決しようとする課題】
【０００８】
しかし、特許文献１の包装箱においては、係止片２２４を一対の折り出し板部間の開口部に挿通するという操作が必要になってしまう。また、ポケットを形成した際に、ポケット正面板部２１０は傾斜した状態となり、ポケット正面板部２１０の開口部により収納スペースが形成されるので、ポケットを構成する部材の前後方向の長さ（具体的には、ポケット正面板部２１０が傾斜した状態における前後方向の長さ）の割には、収納スペースが大きくないという問題がある。
【０００９】
また、特許文献２の包装箱では、正面部１０を組み立てて、ポケットを構成するには、切込みＫ１６、Ｋ１８を正面本体部１２の突出部１２Ａ、１２Ｂに係止させるという操作が必要になってしまう。また、ポケットを形成した際に、傾斜板部１６が正面側斜め上方を向いて傾斜した状態になり、傾斜板部１６の開口部１６Ｃにより収納スペースが形成されるので、ポケットを構成する部材の前後方向の長さ（具体的には、傾斜板部１６が傾斜した状態における前後方向の長さ）の割には、収納スペースが大きくないという問題がある。
【００１０】
また、特許文献３の包装箱では、正面部１０を組み立てた際に、突状部１６−２の先端が正面本体部１２の突状部１２−２に当接するので、傾斜板部１６の角度を固定することはできるが、正面部１０を組み立てて、傾斜板部１６を表示状態にするには、先端部１８の切欠部Ｋ１８、Ｋ１９を切込みＫ１３、Ｋ１４に係止することにより、先端部１８を前開部１４に係合させる操作が必要になってしまう。また、ポケットを形成した際に、傾斜板部１６が正面側斜め上方を向いて傾斜した状態になり、傾斜板部１６の切欠部Ｋ１６により収納スペースが形成されるので、ポケットを構成する部材の前後方向の長さ（具体的には、傾斜板部１６が傾斜した状態における前後方向の長さ）の割には、収納スペースが大きくないという問題がある。
【００１１】
また、特許文献４の包装箱では、収納部Ｓにおいては、収納部背面構成部１２ａと収納部正面構成部１２ｃ及び収納部正面裏側構成部１２ｄは、前後に間隔を介して略平行に設けられるので、収納部Ｓの前後方向の長さに応じて、収納スペースを確保することができ、前後方向に広い収納スペースを確保できるものの、収納部Ｓを組み立てる際に、収納部正面構成部１２ｃと収納部正面裏側構成部１２ｄ間に収納部正面構成部２８、３８の内側の突状部を挟む作業が必要になってしまう。
【００１２】
また、特許文献５の段ボール箱においては、収納スペース３４は、側壁４と上側仕切壁部１７及び下側仕切壁部２８が前後に間隔を介して略平行に設けられるので、収納スペースを構成する部材の長さ（側壁４と上側仕切壁部１７及び下側仕切壁部２８間の長さ）に応じて、収納スペースを確保することができ、前後方向に広い収納スペースを確保できるものの、上側仕切壁部１７の係合部２２、２３及び２４と下側仕切壁部２８の係合部３０、３１及び３２を係合させる作業が必要になってしまう。
【００１３】
そこで、本発明は、側面の一部を収納部として使用できる箱体において、ある部材を他の部材に挿通させる操作やある部材を他の部材に係合させる操作が必要なく、収納部を構成するための操作が容易であり、かつ、前後方向に広い収納スペースを確保することができる箱体を提供することを目的とするものである。
【課題を解決するための手段】
【００１４】
本発明は上記問題点を解決するために創作されたものであって、第１には、箱体であって、底面部（５０）と、底面部の各辺から立設し底面部に対して略直角をなす側面構成部で、第１側面部（１０）と、第１側面部の両側に隣り合う第２側面部（２０）及び第３側面部（３０）を有する側面構成部（５）と、を有し、箱体が、シート状のブランクにより形成され、第１側面部が、底面部から連設されるとともに、第２側面部及び第３側面部と隣り合う基部前板部（１１０）と、基部前板部の上側に第１切目線（１１０Ｋ）を介して連設されたポケット前部前板部（１１２）と、ポケット前部前板部の基部前板部側とは反対側の辺部である上辺から第１折れ線（Ｃ２１ｃ）を介して連設され、ポケット前部前板部と接着されたポケット前部後構成部（１１３）と、ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、ポケット前部前板部の基部前板部側とは反対側の辺部である上辺で第１折れ線の両側の部分における一方から第３折れ線（Ｃ２１ａ）を介して連設された第１ポケット上部板部（１２０）と、ポケット前部前板部の基部前板部側とは反対側の辺部である上辺で第１折れ線の両側の部分における他方から第４折れ線（Ｃ２１ｂ）を介して連設された第２ポケット上部板部（１２２）と、支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側の面に接着して設けられた基部後板部（１２４）と、を有し、第１折れ線と第２折れ線と第３折れ線と第４折れ線と第５折れ線と第６折れ線と第７折れ線は平行に形成され、第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置（略平行に配置としてもよい）されることを特徴とする。
【００１５】
第１の構成によれば、ポケット前部を正面側に引き出す操作を行なうのみでポケットを形成できるので、操作が極めて容易である。特に、ポケットを形成するに際して、差込みや係止の操作がないので、ポケットを形成するための操作が容易となる。また、ポケットを展開した状態では、基部とポケット前部とが前後に間隔を介して略平行に配置されるので、前後方向に広く収納スペースを確保することができる。
【００１６】
また、第２には、上記第１の構成において、基部後板部の支持板部側とは反対側の辺部から折れ線を介して接着板部（１２６）が連設され、接着板部は、基部前板部から連設された底面部に接着されていることを特徴とする。
【００１７】
よって、接着板部が底面部に接着されるので、基部後板部をより強固に固定させることができる。
【００１８】
また、第３には、箱体であって、底面部（５０）と、底面部の各辺から立設し底面部に対して略直角をなす側面構成部で、第１側面部（１０）と、第１側面部の両側に隣り合う第２側面部（２０）及び第３側面部（３０）を有する側面構成部（５）と、を有し、箱体が、シート状のブランクにより形成され、第１側面部が、底面部から連設されるとともに、第２側面部及び第３側面部と隣り合う基部前板部（１１０）と、基部前板部の上側に第１切目線（１１０Ｋ）を介して連設されたポケット前部前板部（１１２）と、ポケット前部前板部の基部前板部側とは反対側の辺部である上辺から第１折れ線（Ｃ２１ｃ）を介して連設され、ポケット前部前板部と接着されたポケット前部後構成部（１１３）と、
ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、ポケット前部前板部の基部前板部側とは反対側の辺部である上辺で第１折れ線の両側の部分における一方から第３折れ線（Ｃ２１ａ）を介して連設された第１ポケット上部板部（１２０）と、ポケット前部前板部の基部前板部側とは反対側の辺部である上辺で第１折れ線の両側の部分における他方から第４折れ線（Ｃ２１ｂ）を介して連設された第２ポケット上部板部（１２２）と、支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側に設けられた基部後板部（１２４）と、基部後板部の支持板部側とは反対側の辺部から第８折れ線（Ｃ２６）を介して連設された接着板部で、基部前板部から連設された該底面部に接着された接着板部（１２６）と、を有し、第１折れ線と第２折れ線と第３折れ線と第４折れ線と第５折れ線と第６折れ線と第７折れ線は平行に形成され、第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置（略平行に配置としてもよい）されることを特徴とする。
【００１９】
第３の構成によれば、傾斜部を正面側に引き出す操作を行なうのみでポケットを形成できるので、操作が極めて容易である。特に、ポケットを形成するに際して、差込みや係止の操作がないので、ポケットを形成するための操作が容易となる。また、ポケットを展開した状態では、基部とポケット前部とが前後に間隔を介して略平行に配置されるので、前後方向に広く収納スペースを確保することができる。
【００２０】
また、第４には、上記第１から第３までのいずれかの構成において、ポケット前部後構成部が、ポケット前部前板部と接着されたポケット前部後板部（１１４）と、ポケット前部後板部に折れ線（Ｃ２３）を介して連設されるとともに、支持板部に該第２折れ線を介して連設された連結板部で、第１突状部と第２突状部の間の位置に設けられた連結板部（１１６）とを有し、支持板部の基部後板部に対する回動角度が固定された状態では、支持板部がポケット前部前板部に対して略直角をなし、連結板部は、ポケット前部後板部及び支持板部に対して傾斜した状態となることを特徴とする。
【００２１】
第４の構成によれば、連結板部が支持板部とポケット前部後板部に対して傾斜した状態となるので、支持板部がポケット前部前板部に対して略直角の状態にしやすくできる。
【００２２】
また、第５には、上記第１から第４までのいずれかの構成において、支持板部は、第２切目線の第２折れ線側とは反対側の端部から連設されるとともに第５折れ線の一方の端部から連設された第４切目線（１１８Ｋｃ）を介して基部後板部と隣接するとともに、第３切目線の第２折れ線側とは反対側の端部から連設されるとともに第５折れ線の他方の端部から連設された第５切目線（１１８Ｋｄ）を介して基部後板部と隣接し、第１ポケット上部板部は、第３折れ線と直角をなす第６切目線（１２０Ｋ）を介してポケット前部後構成部と隣接し、第２ポケット上部板部は、第４折れ線と直角をなす第７切目線（１２２Ｋ）を介してポケット前部後構成部と隣接し、基部後板部は、第６切目線の第６折れ線側の端部から第２切目線と第４切目線の接点まで形成された第８切目線（１２４Ｋａ）と、第７切目線の第７折れ線側の端部から第３切目線と第５切目線の接点まで形成された第９切目線（１２４Ｋｂ）を介してポケット前部後構成部と隣接していることを特徴とする。
【００２３】
また、第６には、上記第５の構成において、第２切目線と第３切目線と第８切目線と第９切目線とが切断予定線により形成されていることを特徴とする。
【００２４】
よって、第２切目線と第３切目線と第８切目線と第９切目線とが切断予定線により形成されているので、不用意に第１切目線が切断してしまった場合でも、支持板部が基部後板部に対して回動したり、ポケット前部後構成部に対して回動してしまうことがない。
【００２５】
なお、第５又は第６の構成において、以下の構成としてもよい。すなわち、「２切目線が、第２折れ線から第２折れ線の一方の端部側である第１方向にいくに従いポケット前部前板部の上辺側となるように形成された第２切目線第１構成部（１１８Ｋａ−３）と、第２切目線第１構成部から連設され、第１折れ線と平行に形成された第２切目線第２構成部（１１８Ｋａ−２）と、第２切目線第２構成部から連設され、第４切目線と第８切目線の接点にまで形成された第２切目線第３構成部（１１８Ｋａ−１）とを有し、第３切目線が、第２折れ線から第２折れ線の他方の端部側である第２方向にいくに従いポケット前部前板部の上辺側となるように形成された第３切目線第１構成部（１１８Ｋｂ−３）と、第３切目線第１構成部から連設され、第１折れ線と平行に形成された第３切目線第２構成部（１１８Ｋｂ−２）と、第３切目線第２構成部から連設され、第５切目線と第９切目線の接点にまで形成された第３切目線第３構成部（１１８Ｋｂ−１）とを有することを特徴とする。」としてもよい。
【００２６】
また、第７には、上記第１から第６までのいずれかの構成において、基部前板部には、ポケット前部前板部と接する切欠部（１０ｈａ）が形成され、さらに、基部後板部における切欠部の背面側の領域には、開口部（１０ｈｂ）が形成され、該切欠部及び該開口部に指を挿入して、ポケット前部前板部の端部をつかんで正面側に引っ張ることにより、第１切目線が切断されることを特徴とする。
【００２７】
また、第８には、包装箱であって、内箱部（Ａ）と外箱部（Ｂ）とを有し、内箱部が、底面部（５０）と、底面部の各辺から立設し底面部に対して略直角をなす内側スリーブ状部で、第１内箱部側面部（３０）と、第２内箱部側面部（１０）と、第３内箱部側面部（２０）と、第４内箱部側面部（４０）を有し、内箱部を箱状に組み立てた状態では、互いに隣接する側面部が略直角をなす内側スリーブ状部（５）と、を有し、第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、内箱部における分離部が設けられた内箱部側面部以外の内箱部側面部である特定内箱部側面部（１０）が、底面部から連設されるとともに、特定内箱部側面部が隣接する内箱部側面部と隣り合う基部前板部（１１０）と、基部前板部の上側に第１切目線（１１０Ｋ）を介して連設されたポケット前部前板部（１１２）と、ポケット前部前板部の基部前板部側とは反対側の辺部である上辺から第１折れ線（Ｃ２１ｃ）を介して連設され、ポケット前部前板部と接着されたポケット前部後構成部（１１３）と、ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、ポケット前部前板部の基部前板部側とは反対側の辺部である上辺で第１折れ線の両側の部分における一方から第３折れ線（Ｃ２１ａ）を介して連設された第１ポケット上部板部（１２０）と、ポケット前部前板部の基部前板部側とは反対側の辺部である上辺で第１折れ線の両側の部分における他方から第４折れ線（Ｃ２１ｂ）を介して連設された第２ポケット上部板部（１２２）と、支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側の面側を正面側とした場合に、ポケット前部前板部の背面側の面に接着して設けられた基部後板部（１２４）と、を有し、第１折れ線と第２折れ線と第３折れ線と第４折れ線と第５折れ線と第６折れ線と第７折れ線は平行に形成され、第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、内側右側面部において、内側右側面部の一部が第１分離部（２４）として第１分離部以外の部分である内側右側面部本体部（２２）と切目線（２４ａ）を介して分離可能に形成され、内側左側面部において、内側左側面部の一部が第２分離部（３４）として第２分離部以外の部分である内側左側面部本体部（３２）と切目線（３４ａ）を介して分離可能に形成され、外箱部が、内箱部の外側の面に沿って設けられた外側スリーブ状部で、第１内箱部側面部の外側の面に沿って形成された第１外箱部側面部（２３０）と、第２内箱部側面部の外側の面に沿って形成された第２外箱部側面部（２１０）と、第３内箱部側面部の外側の面に沿って形成された第３外箱部側面部（２２０）と、第４内箱部側面部の外側の面に沿って形成された第４外箱部側面部（２４０）とを有士、外箱部を箱状に組み立てた状態では、互いに隣接する側面部が略直角をなす外側スリーブ状部（２０５）と、外側スリーブ状部の上端から折れ線を介して連設された蓋部と、を有し、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）（外箱部側面部における分離部が接着された領域を含み切目線により形成された片部である回動片部（２２４、２３４）としてもよい）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離し、第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置（略平行に配置としてもよい）されることを特徴とする。
【００２８】
第８の構成においては、外箱部を分離することにより内箱部に収納した被収納物を陳列することができ、被収納物を陳列する際に、ポケット前部を正面側に引き出す操作を行なうのみでポケットを形成できるので、操作が極めて容易である。特に、ポケットを形成するに際して、差込みや係止の操作がないので、ポケットを形成するための操作が容易となる。また、ポケットを展開した状態では、基部とポケット前部とが前後に間隔を介して略平行に配置されるので、前後方向に広く収納スペースを確保することができる。
【００２９】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００３０】
また、第９には、上記第８の構成において、基部後板部の支持板部側とは反対側の辺部から折れ線を介して接着板部（１２０）が連設され、接着板部は、基部前板部から連設された底面部に接着されていることを特徴とする。
【００３１】
よって、接着板部が底面部に接着されるので、基部後板部をより強固に固定させることができる。
【００３２】
また、第１０には、上記第８又は第９の構成において、ポケット前部後構成部が、ポケット前部前板部と接着されたポケット前部後板部（１１４）と、ポケット前部後板部に折れ線（Ｃ２３）を介して連設されるとともに、支持板部に該第２折れ線を介して連設された連結板部で、第１突状部と第２突状部の間の位置に設けられた連結板部（１１６）とを有し、支持板部の基部後板部に対する回動角度が固定された状態では、支持板部がポケット前部前板部に対して略直角をなし、連結板部は、ポケット前部後板部及び支持板部に対して傾斜した状態となることを特徴とする。
【００３３】
第１０の構成によれば、連結板部が支持板部とポケット前部後板部に対して傾斜した状態となるので、支持板部がポケット前部前板部に対して略直角の状態にしやすくできる。
【００３４】
また、第１１には、上記第８から第１０までのいずれかの構成において、支持板部は、第２切目線の第２折れ線側とは反対側の端部から連設されるとともに第５折れ線の一方の端部から連設された第４切目線（１１８Ｋｃ）を介して基部後板部と隣接するとともに、第３切目線の第２折れ線側とは反対側の端部から連設されるとともに第５折れ線の他方の端部から連設された第５切目線（１１８Ｋｄ）を介して基部後板部と隣接し、第１ポケット上部板部は、第３折れ線と直角をなす第６切目線（１２０Ｋ）を介してポケット前部後構成部と隣接し、第２ポケット上部板部は、第４折れ線と直角をなす第７切目線（１２２Ｋ）を介してポケット前部後構成部と隣接し、基部後板部は、第６切目線の第６折れ線側の端部から第２切目線と第４切目線の接点まで形成された第８切目線（１２４Ｋａ）と、第７切目線の第７折れ線側の端部から第３切目線と第５切目線の接点まで形成された第９切目線（１２４Ｋｂ）を介してポケット前部後構成部と隣接していることを特徴とする。
【００３５】
また、第１２には、上記第１１の構成において、第２切目線と第３切目線と第８切目線と第９切目線とが切断予定線により形成されていることを特徴とする。
【００３６】
よって、第２切目線と第３切目線と第８切目線と第９切目線とが切断予定線により形成されているので、不用意に第１切目線が切断してしまった場合でも、支持板部が基部後板部に対して回動したり、ポケット前部後構成部に対して回動してしまうことがない。
【００３７】
なお、第１１又は第１２の構成において、以下の構成としてもよい。すなわち、「第２切目線が、第２折れ線から第２折れ線の一方の端部側である第１方向にいくに従いポケット前部前板部の上辺側となるように形成された第２切目線第１構成部（１１８Ｋａ−３）と、第２切目線第１構成部から連設され、第１折れ線と平行に形成された第２切目線第２構成部（１１８Ｋａ−２）と、第２切目線第２構成部から連設され、第４切目線と第８切目線の接点にまで形成された第２切目線第３構成部（１１８Ｋａ−１）とを有し、第３切目線が、第２折れ線から第２折れ線の他方の端部側である第２方向にいくに従いポケット前部前板部の上辺側となるように形成された第３切目線第１構成部（１１８Ｋｂ−３）と、第３切目線第１構成部から連設され、第１折れ線と平行に形成された第３切目線第２構成部（１１８Ｋｂ−２）と、第３切目線第２構成部から連設され、第５切目線と第９切目線の接点にまで形成された第３切目線第３構成部（１１８Ｋｂ−１）とを有することを特徴とする。」としてもよい。
【００３８】
また、第１３には、包装箱であって、内箱部（Ａ）と、外箱部（Ｂ）とを有し、内箱部が、第１内箱部側面部（３０）と第２内箱部側面部（１０）と第３内箱部側面部（２０）と第４内箱部側面部（４０）と第４内箱部側面部から連設された内箱部糊代部とを有し、第１内箱部側面部、第２内箱部側面部、第３内箱部側面部、第４内箱部側面部、内箱部糊代部の順に連設され、内箱部を箱状に組み立てた状態では、互いに隣接する側面部が略直角をなす内側スリーブ状部で、第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成された内側スリーブ状部（５）と、内側スリーブ状部の下端から連設された底面部で、第１内箱部側面部の下辺から連設された底面部第１片部（８０）と、第２内箱部側面部の下辺から連設された底面部第２片部（１０）と、第３内箱部側面部の下辺から連設された底面部第３片部（７０）と、第４内箱部側面部の下辺から連設された底面部第４片部（９０）とを有する底面部（５０）と、を有し、外箱部が、第１内箱部側面部の外側の面に沿って形成された第１外箱部側面部（２３０）と、第２内箱部側面部の外側の面に沿って形成された第２外箱部側面部（２１０）と、第３内箱部側面部の外側の面に沿って形成された第３外箱部側面部（２２０）と、第４内箱部側面部の外側の面に沿って形成された第４外箱部側面部（２４０）と、第１外箱部側面部から連設された外箱部糊代部（２４２）とを有し、外箱部糊代部、第１外箱部側面部、第２外箱部側面部、第３外箱部側面部、第４外箱部側面部の順に連設され、外箱部を箱状に組み立てた状態では、互いに隣接する側面部が略直角をなす外側スリーブ状部と、外側スリーブ状部の上端から折れ線を介して連設された蓋部とを有し、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）（外箱部側面部における分離部が接着された領域を含み切目線により形成された片部である回動片部（２２４、２３４）としてもよい）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離する包装箱で、内箱部における分離部が設けられた内箱部側面部以外の内箱部側面部である特定内箱部側面部（１０）が、底面部から連設されるとともに、第２側面部及び第３側面部と隣り合う基部前板部（１１０）と、基部前板部の上側に第１切目線（１１０Ｋ）を介して連設されたポケット前部前板部（１１２）と、ポケット前部前板部の基部前板部側とは反対側の辺部である上辺から第１折れ線（Ｃ２１ｃ）を介して連設され、ポケット前部前板部と接着されたポケット前部後構成部（１１３）と、ポケット前部後構成部のポケット前部前板部とは反対側の辺部から第２折れ線（Ｃ２４）を介して連設されるとともに、第２折れ線の一方の端部から形成された第２切目線（１１８ＫＡ）を介してポケット前部後構成部と隣接するとともに、第２折れ線の他方の端部から形成された第３切目線（１１８ＫＢ）を介してポケット前部後構成部と隣接し、第２切目線に沿った辺部を有し、ポケット前部後構成部側に突出した第１突状部（１１６−１）と、第３切目線に沿った辺部を有し、ポケット前部後構成部側に突出した第２突状部（１１６−２）を有する支持板部（１１８）と、ポケット前部前板部の基部前板部側とは反対側の辺部である上辺で第１折れ線の両側の部分における一方から第３折れ線（Ｃ２１ａ）を介して連設された第１ポケット上部板部（１２０）と、ポケット前部前板部の基部前板部側とは反対側の辺部である上辺で第１折れ線の両側の部分における他方から第４折れ線（Ｃ２１ｂ）を介して連設された第２ポケット上部板部（１２２）と、支持板部のポケット前部後構成部側とは反対側の辺部から第５折れ線（Ｃ２５）を介して連設され、第１ポケット上部板部の第３折れ線とは反対側の辺部から第６折れ線（Ｃ２２ａ）を介して連設され、第２ポケット上部板部の第４折れ線とは反対側の辺部から第７折れ線（Ｃ２２ｂ）を介して連設され、第１側面部の外側を正面側とした場合に、ポケット前部前板部の背面側に設けられた基部後板部（１２４）と、基部後板部の支持板部側とは反対側の辺部から第８折れ線（Ｃ２６）を介して連設された接着板部で、基部前板部から連設された該底面部に接着された接着板部（１２６）と、を有し、第１折れ線と第２折れ線と第３折れ線と第４折れ線と第５折れ線と第６折れ線と第７折れ線は平行に形成され、第１切目線を切断する前の状態では、ポケット前部後構成部（１１３）と支持板部（１１８）と第１ポケット上部板部（１２０）と第２ポケット上部板部（１２２）と基部後板部（１２４）からなる領域は、基部前板部（１１０）とポケット前部前板部（１１２）からなる領域に対して、第１折れ線と第３折れ線と第４折れ線を介して折り返した状態であり、基部前板部と底面部間の折れ線と第１折れ線間の長さ（Ｌ１１）が、第８折れ線と第１折れ線間の長さ（Ｌ１２）と略同一に形成され、第１切目線を切断して、ポケット前部前板部とポケット前部後構成部とからなるポケット前部（１１１）を正面側に引き出すことにより、支持板部を基部後板部に対して正面側に回動させるとともに、ポケット前部後構成部を支持板部に対して回動させ、ポケット前部後構成部が支持板部に対して回動することにより、第１突状部と第２突状部がポケット前部前板部の裏側の面を押した状態で、支持板部の基部後板部に対する回動角度が固定されて、第１側面部により構成され、支持板部を底面とする収納部が形成され、該収納部においては、基部（１０９）とポケット前部とが前後に間隔を介して配置（略平行に配置としてもよい）され、内箱部と外箱部とがそれぞれ１枚のブランクにより形成された包装箱の製造方法であって、展開状態の外箱部に展開状態の内箱部を接着する第１接着工程であって、第１外箱部側面部に第１内箱部側面部を重ね、第２外箱部側面部に第２内箱部側面部を重ね、第３外箱部側面部に第３内箱部側面部を重ね、第４外箱部側面部に第４内箱部側面部を重ねた状態で、外箱部の回動片部と内箱部の分離部とを接着させ、外箱部に内箱部を接着した状態では、接着板部の少なくとも一部が外箱部に重ならない非重なり領域となる第１接着工程と、底面部第１片部と底面部第２片部と底面部第３片部と底面部第４片部の４つの片部において特定内箱部側面部の下辺から連設された片部と接着板部のいずれかと、ポケット前部前板部とポケット前部後構成部のいずれかに接着剤を塗布した状態で、特定内箱部側面部において、接着板部の非重なり領域に係止用部材（３００）を係止することにより、第１折れ線よりも接着板部側である先端側の領域を第１折れ線を介して折り返して、特定内箱部側面部の下辺から連設された片部と接着板部とを接着し、ポケット前部前板部とポケット前部後構成部を接着する第２接着工程と、外箱部の第１外箱部側面部を第２外箱部側面部に対して折り返す折り返し工程と、外箱部糊代部と第１外箱部側面部における外箱部糊代部が接着する領域のいずれかと、内箱部糊代部と第４内箱部側面部における内箱部糊代部が接着する領域のいずれかとに接着剤を塗布した状態で、外箱部の第４外箱部側面部を第３外箱部側面部に対して折り返すことにより、外箱部糊代部と第１外箱部側面部とを接着し、内箱部糊代部と第４内箱部側面部とを接着する第３接着工程と、を有することを特徴とする。
【００３９】
第１３の構成においては、製造された包装箱において、外箱部を分離することにより内箱部に収納した被収納物を陳列することができ、被収納物を陳列する際に、ポケット前部を正面側に引き出す操作を行なうのみでポケットを形成できるので、操作が極めて容易である。特に、ポケットを形成するに際して、差込みや係止の操作がないので、ポケットを形成するための操作が容易となる。また、ポケットを展開した状態では、基部とポケット前部とが前後に間隔を介して略平行に配置されるので、前後方向に広く収納スペースを確保することができる。
【００４０】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００４１】
また、第１接着工程においては、外箱部に内箱部を接着した状態では、接着板部の少なくとも一部が外箱部に重ならない非重なり領域となるので、第１折れ線よりも接着板部側である先端側の領域を第１折れ線を介して折り返す際に、容易に折り返すことができる。
【００４２】
なお、上記第１０の構成における第２接着工程を「底面部第１片部と底面部第２片部と底面部第３片部と底面部第４片部の４つの片部において特定内箱部側面部の下辺から連設された片部と接着板部のいずれかと、ポケット前部前板部とポケット前部後構成部のいずれかに接着剤を塗布した状態で、特定内箱部側面部において接着板部を先頭側とし基部前板部を後尾側として内箱部及び外箱部が搬送され、特定内箱部側面部において、第１折れ線よりも接着板部側である先端側の領域を接着板部の非重なり領域に係止用部材（３００）を係止して、内箱部と外箱部が搬送されるとともに、係止用部材を搬送方向の側に回動させることにより、該先端側の領域を起立させ、その後、係止用部材を搬送方向の側への回動方向とは逆の回動方向に回動させることにより、該先端側の領域を第１折れ線を介して傾斜前板部に対して折り返して、特定内箱部側面部の下辺から連設された片部と接着板部とを接着し、ポケット前部前板部とポケット前部後構成部を接着する第２接着工程」としてもよい。
【００４３】
また、第１４には、上記第１３の構成において、第２接着工程において、基部前板部と基部後板部のいずれかに接着剤を塗布した状態で、特定内箱部側面部において、第１折れ線よりも接着板部側である先端側の領域を第１折れ線を介して折り返して、基部前板部と基部後板部を接着することを特徴とする。
【００４４】
また、第１５には、第１３又は第１４の構成において、製造される包装箱において、底面部が、ワンタッチ底により形成されていて、底面部第１片部と底面部第２片部のいずれか一方における他方の側の部分である第１端部領域（６４）が折れ線を介して折曲げ可能であり、該第１端部領域が底面部第１片部と底面部第２片部の他方に接着され、底面部第３片部と底面部第４片部のいずれか一方における他方の側の部分である第２端部領域（８４）が折れ線を介して折曲げ可能であり、該第２端部領域が底面部第３片部と底面部第４片部の他方に接着され、折り返し工程において、内箱部の底面部を構成する底面部第１片部と底面部第２片部を内側スリーブ状部に対して折り返し第１端部領域を外側に折り返すとともに、第１端部領域と、底面部第１片部と底面部第２片部の他方における該第１端部領域が接着する領域とのいずれかに接着剤を塗布した状態で、外箱部の第１外箱部側面部を第２外箱部側面部に対して折り返すことにより、第１端部領域と、底面部第１片部と底面部第２片部の他方とを接着し、第２接着工程において、内箱部の底面部を構成する底面部第３片部と底面部第４片部を内側スリーブ状部に対して折り返し第２端部領域を外側に折り返すとともに、第２端部領域と、底面部第３片部と底面部第４片部の他方における該第２端部領域が接着する領域とのいずれかとに接着剤を塗布した状態で、外箱部の第４外箱部側面部を第３外箱部側面部に対して折り返すことにより、第２端部領域と、底面部第３片部と底面部第４片部の他方とを接着することを特徴とする。
【００４５】
また、第１６には、上記第１５の構成において、第２接着工程と折り返し工程の間に、内箱部の底面部を構成する底面部第１片部と底面部第２片部と底面部第３片部と底面部第４片部を内側スリーブ状部に対して折り返すとともに、第１端部領域と第２端部領域を外側に折り返す第２折り返し工程と、第２端部領域と、底面部第３片部と底面部第４片部の他方における該第２端部領域が接着する領域とのいずれかに接着剤を塗布する第１接着剤塗布工程を有し、また、折り返し工程と第３接着工程の間に、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布する第２接着剤塗布工程とを有することを特徴とする。
【００４６】
また、第１７には、上記第１５の構成において、第２接着工程と折り返し工程の間に、内箱部の底面部を構成する底面部第３片部と底面部第４片部を内側スリーブ状部に対して折り返すとともに第２端部領域を外側に折り返し、その後、第２端部領域と、底面部第３片部と底面部第４片部の他方における該第２端部領域が接着する領域とのいずれかに接着剤を塗布する第１折り返し・接着剤塗布工程を有することを特徴とする。
【００４７】
また、第１８には、上記第１５又は第１７の構成において、折り返し工程と第３接着工程の間に、内箱部の底面部を構成する底面部第１片部と底面部第２片部を内側スリーブ状部に対して折り返すとともに第１端部領域を外側に折り返し、その後、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布する第２折り返し・接着剤塗布工程を有することを特徴とする。
【００４８】
また、第１９には、上記第１５の構成において、第２接着工程と折り返し工程の間に、第２端部領域と、底面部第３片部と底面部第４片部の他方における該第２端部領域が接着する領域とのいずれかに接着剤を塗布し、その後、底面部第３片部と底面部第４片部を内側スリーブ状部に対して折り返すとともに第２端部領域を外側に折り返した状態とする第１接着剤塗布・折り返し工程を有することを特徴とする。
【００４９】
また、第２０には、上記第１５又は第１９の構成において、折り返し工程と第３接着工程の間に、外箱部糊代部と第４外箱部側面部における外箱部糊代部が接着する領域のいずれかと、内箱部糊代部と第１内箱部側面部における内箱部糊代部が接着する領域のいずれかと、第１端部領域と、底面部第１片部と底面部第２片部の他方における該第１端部領域が接着する領域とのいずれかとに接着剤を塗布し、その後、内箱部の底面部を構成する底面部第１片部と底面部第２片部を内側スリーブ状部に対して折り返すとともに第１端部領域を外側に折り返した状態とする第２接着剤塗布・折り返し工程を有することを特徴とする。
【００５０】
また、第２１には、上記第１３から第２０までのいずれかの構成において、蓋部が、第１外箱部側面部の上辺から連設された第１蓋部片部（２６０）と、第２外箱部側面部の上辺から連設された第２蓋部片部（２７０）と、第３外箱部側面部の上辺から連設された第３蓋部片部（２８０）と、第４外箱部側面部の上辺から連設された第４蓋部片部（２９０）とを有し、第１接着工程で、外箱部に内箱部を接着した際に、接着板部における一部の領域は、第１蓋部片部と第２蓋部片部と第３蓋部片部と第４蓋部片部において、第１外箱部側面部と第２外箱部側面部と第３外箱部側面部と第４外箱部側面部の４つの外箱部側面部の中で特定内箱部側面部に対応する外箱部側面部（２１０）から連設された蓋部片部である特定蓋部片部（２６０）と重なり、接着板部の他の領域は、該特定蓋部片部とは重ならないことを特徴とする。
【００５１】
また、第２２構成として、以下の構成としてもよい。すなわち、上記第１３から第２１までのいずれかの構成において、上記第１接着工程において、外側スリーブ状部の下端と内側スリーブ状部の下端とを略一致させることを特徴とする。よって、包装箱の状態で外箱部内に内箱部が収納され、内箱部が外箱部の下方から見えることがないので、包装箱の見栄えがよくなる。
【発明の効果】
【００５２】
本発明に基づく箱体、包装箱及び包装箱の製造方法によれば、ポケット前部を正面側に引き出す操作を行なうのみでポケットを形成できるので、操作が極めて容易である。特に、ポケットを形成するに際して、差込みや係止の操作がないので、ポケットを形成するための操作が容易となる。また、ポケットを展開した状態では、基部とポケット前部とが前後に間隔を介して略平行に配置されるので、前後方向に広く収納スペースを確保することができる。
また、特に、包装箱の製造方法によれば、第１接着工程においては、外箱部に内箱部を接着した状態では、接着板部の少なくとも一部が外箱部に重ならない非重なり領域となるので、第１折れ線よりも接着板部側である先端側の領域を第１折れ線を介して折り返す際に、容易に折り返すことができる。
【図面の簡単な説明】
【００５３】
【図１】包装箱の前方斜視図である。
【図２】包装箱の後方斜視図である。
【図３】包装箱の底面図である。
【図４】包装箱の内箱部の構成を示す前方斜視図である。
【図５】包装箱における内箱部の展開図である。
【図６】図５の要部拡大図である。
【図７】包装箱における外箱部の展開図である。
【図８】包装箱の製造工程を示す説明図である。
【図９】包装箱の製造工程を示す説明図である。
【図１０】包装箱の製造工程を示す説明図である。
【図１１】包装箱の製造工程を示す説明図である。
【図１２】包装箱の製造工程を示す説明図である。
【図１３】包装箱の製造工程を示す説明図である。
【図１４】包装箱の使用状態を示す斜視図である。
【図１５】包装箱の使用状態を示す斜視図である。
【図１６】包装箱の使用状態を示す斜視図である。
【図１７】包装箱の使用状態を示す斜視図である。
【図１８】ポケットを展開状態にする工程を示す斜視図である。
【図１９】ポケットを展開状態にする工程を示す斜視図である。
【図２０】ポケットを展開状態にする工程を示す側面図である。
【図２１】ポケットを展開状態にした状態を示す斜視図である。
【図２２】ポケットを展開状態にした状態を示す側面図である。
【図２３】ポケットを展開状態にした状態を示す底面図である。
【図２４】正面部の他の例を示す展開図である。
【発明を実施するための形態】
【００５４】
本発明においては、側面の一部を収納部として使用できる箱体において、ある部材を他の部材に挿通させる操作やある部材を他の部材に係合させる操作が必要なく、収納部を構成するための操作が容易であり、かつ、前後方向に広い収納スペースを確保することができる箱体を提供するという目的を以下のようにして実現した。
【００５５】
本発明に基づく実施例１の包装箱Ｐは、図１〜図７等に示すように構成され、内箱部Ａと、外箱部Ｂとを有していて、内箱部Ａと外箱部Ｂのそれぞれが１枚のシート状のブランク（具体的には段ボール（特に、両面段ボール）であり、厚紙等でもよい）により形成されている。なお、両面段ボールにおける中芯の段の方向は、図５、図７に示す円内に示す方向（スリーブ状部５、２０５の下辺に対して直角の方向）である。
【００５６】
内箱部（箱体）Ａは、全体に上部が開口した容器状を呈し、図４、図６等に示すように、スリーブ状部（内側スリーブ状部、側面構成部）５と、底面部５０とを有している。スリーブ状部５は、組立て状態では、底面部５０の周囲から立設して形成され、正面部（内側正面部、第１側面部、特定内箱部側面部）１０と、側面部（内側右側面部、第２側面部）２０と、側面部（内側左側面部、第３側面部）３０と、背面部（内側背面部）４０と、糊代部４９とを有していて、その展開状態は、図５に示すように形成されている。
【００５７】
ここで、正面部１０は、図４に示すように、全体に略方形状を呈し、具体的には、図６に示すように、正面部１０の前側を構成する前側構成部１０−１と、正面部１０の後側を構成する後側構成部１０−２と、接着板部１２６とを有している。
【００５８】
すなわち、正面部１０は、図６に示すように、正面前板部（基部前板部）１１０と、正面前板部１１０の上側に切目線（第１切目線）１１０Ｋを介して連設されたポケット前部前板部１１２と、ポケット前部前板部１１２の正面前板部１１０とは反対側の辺部から折れ線（第１折れ線）Ｃ２１ｃを介して連設されたポケット前部後板部１１４と、ポケット前部後板部１１４のポケット前部前板部１１２とは反対側（ポケット前部前板部１１２との連設側とは反対側）の辺部から折れ線Ｃ２３を介して連設された連結板部１１６と、連結板部１１６のポケット前部後板部１１４とは反対側の辺部から折れ線（第２折れ線）Ｃ２４を介して連設されるとともに、切目線１１８Ｋａ−３、１１８Ｋｃ−３を介して連結板部１１６と隣接し、切目線１１８Ｋａ、１１８Ｋｂを介して連設された支持板部１１８と、ポケット前部前板部１１２の正面前板部１１０とは反対側の辺部から折れ線（第３折れ線）Ｃ２１ａを介して連設されたポケット上部左板部（第１ポケット上部板部）１２０と、ポケット前部前板部１１２の正面前板部１１０とは反対側の辺部から折れ線（第４折れ線）Ｃ２１ｂを介して連設されたポケット上部右板部（第２ポケット上部板部）１２２と、支持板部１１８のポケット前部後板部１１４とは反対側の辺部から折れ線（第５折れ線）Ｃ２５を介して連設され、ポケット上部左板部１２０のポケット前部前板部１１２とは反対側（ポケット前部前板部１１２との連設側とは反対側）の辺部から折れ線（第６折れ線）Ｃ２２ａを介して連設され、ポケット上部右板部１２２のポケット前部前板部１１２とは反対側（ポケット前部前板部１１２との連設側とは反対側）の辺部から折れ線（第７折れ線）Ｃ２２ｂを介して連設されるとともに、ポケット前部後板部１１４と切目線１２４Ｋａ、１２４Ｋｂを介して連設され、支持板部１１８と切目線１１８Ｋｃ、１１８Ｋｄを介して隣接した正面後板部（基部後板部）１２４と、正面後板部１２４のポケット上部左板部１２０及びポケット上部右板部１２２から折れ線（第８折れ線）Ｃ２６を介して連設された接着板部１２６と、を有し、前側構成部１０−１は、正面前板部１１０と、ポケット前部前板部１１２とを有し、後側構成部１０−２は、ポケット前部後板部１１４と、連結板部１１６と、支持板部１１８と、ポケット上部左板部１２０と、ポケット上部右板部１２２と、正面後板部１２４とを有している。内箱部Ａにおいては、正面部１０の外側の面側が正面側となる。
【００５９】
ポケット前部前板部１１２は、ポケット前部後板部１１４に接着され、正面後板部１２４は、正面前板部１１０に接着され、接着板部１２６は、第１片部６０に接着されている。このように接着した状態では、後側構成部１０−２は、ポケット前部前板部１１２に対して折れ線Ｃ２１ａ、Ｃ２１ｂ、Ｃ２１ｃを介して折り返した状態となっている。
【００６０】
ポケット前部前板部１１２とポケット前部後板部１１４とで、ポケット前部１１１が構成され、正面前板部１１０と正面後板部１２４とで、下正面部１０９が構成される。
【００６１】
なお、ポケット前部１１１を正面側にスライドさせてポケットを形成する際に、突状部１１８−１、１１８−２（後述）の先端がポケット前部前板部１１２の裏面に接触して該裏面を押すことにより、ポケット前部前板部１１２とポケット前部後板部１１４間に隙間が形成されて、ポケット前部前板部１１２とポケット前部後板部１１４とが角度を介して開いた状態となるように、接着剤を塗布する領域は、ポケット前部後板部１１２において、左右方向において、突状部１１８−１、１１８−２間の領域Ｒ１（左右方向において、折れ線Ｃ２３の一方の端部から他方の端部までの領域）とする。つまり、左右方向において、突状部１１８−１の領域や突状部１１８−２の領域にまで接着剤を塗布すると、特に、突状部１１８−１、１１８−２に近い領域が接着されている場合には、突状部１１８−１、１１８−２の先端がポケット前部前板部１１２の裏面を押して、ポケット前部前板部１１２とポケット前部後板部１１４間に隙間を形成することができない。
【００６２】
なお、突状部１１８−１、１１８−２がポケット前部前板部１１２を確実に押すことができるように、傾斜後板部１１４の折れ線Ｃ２２に沿った辺部付近も接着するのが好ましい。
【００６３】
なお、接着剤を塗布する領域をポケット前部前板部１１２の代わりに、ポケット前部後板部１１４としてもよい。その場合も、左右方向において、突状部１１８−１、１１８−２間の領域とする。
【００６４】
ここで、正面前板部１１０は、横長長方形状の上側が窪んだ略凹状を呈し、左側面側の辺部は、折れ線Ｃ１を介して側面部３０から連設され、右側面側の辺部は、折れ線Ｃ２を介して側面部２０から連設され、底面側の辺部は、第１片部６０と折れ線Ｃ５を介して連設されている。また、正面前板部１１０の上辺は、側面部３０の上辺から連設された辺部１１０ａと、側面部２０の上辺から連設された辺部１１０ｂと、辺部１１０ａの右側面側の端部から辺部１１０ｂの左側面側の端部まで切目線１１０Ｋ及び開口部１０ｈａに沿って形成された辺部とを有している。
【００６５】
切目線１１０Ｋは、水平方向（折れ線Ｃ５と平行な方向）に形成され、辺部１１０ａ、１１０ｂよりも下側に設けられた切目線１１０Ｋａと、切目線１１０Ｋａの左側面側の端部から辺部１１０ａの右側面側の端部まで形成された切目線１１０Ｋｂと、切目線１１０Ｋａの右側面側の端部から辺部１１０ｂの左側面側の端部まで形成された切目線１１０Ｋｃとを有し、切目線１１０Ｋｂは、辺部１１０ａから連設された略円弧状の切目線１１０Ｋｂ−１と、切目線１１０Ｋｂ−１から連設された直線状の切目線１１０Ｋｂ−２と、切目線１１０Ｋｂ−２から連設され、切目線１１０Ｋａまで形成された略円弧状の切目線１１０Ｋｂ−３とを有し、切目線１１０Ｋｃは、辺部１１０ｂから連設された略円弧状の切目線１１０Ｋｃ−１と、切目線１１０Ｋｃ−１から連設された直線状の切目線１１０Ｋｃ−２と、切目線１１０Ｋｃ−２から連設され、切目線１１０Ｋａまで形成された略円弧状の切目線１１０Ｋｃ−３とを有している。切目線１１０Ｋは、全体として、複数の切込みが間隔を介して形成された切断予定線により形成されている。
【００６６】
なお、正面前板部１１０には、円形の一部からなる切欠部１０ｈａが設けられ、この切欠部１０ｈａの円弧状の辺部は、正面部１０を折れ線Ｃ２１ａ、Ｃ２１ｂ、Ｃ２１ｃを介して折り返した状態で、開口部１０ｈｂと重なる位置に設けられている。つまり、切欠部１０ｈａが形成されている箇所では、正面前板部１１２には、切目線１１０Ｋの右側面側の端部と切目線１１０Ｋｃ−３の代わりに、切欠部１０ｈａに沿った辺部が形成されていて、切欠部１０ｈａは、ポケット前部前板部１１２と接している。
【００６７】
また、ポケット前部前板部１１２は、左右両側には、水平方向に対して直角な直線状の辺部１１２ａ、１１２ｂを有するとともに、底面側には、切目線１１０Ｋに沿った辺部を有し、上面側には、辺部１１２ａから連設された折れ線Ｃ２１ａと辺部１１２ｂから連設された折れ線Ｃ２１ｂと折れ線Ｃ２１ａと折れ線Ｃ２１ｂ間の折れ線Ｃ２１ｃに沿った辺部とを有している。折れ線Ｃ２１ａ、Ｃ２１ｂ、Ｃ２１ｃに沿った辺部は、１つの直線状の辺部を呈している。折れ線Ｃ２１ａ、Ｃ２１ｂ、Ｃ２１ｃは、水平方向（折れ線Ｃ５の方向）に形成されている。
【００６８】
また、ポケット前部後板部１１４は、左右両側には、切目線（第６切目線）１２０Ｋに沿った辺部と切目線（第７切目線）１２２Ｋに沿った辺部を有し、ポケット前部前板部１１２側には、折れ線Ｃ２１ｃに沿った辺部を有し、ポケット前部前板部１１２側とは反対側には、切目線（第８切目線）１２４Ｋａと切目線１１８Ｋａと折れ線Ｃ２３と切目線１１８Ｋｂと切目線（第９切目線）１２４Ｋｂに沿った辺部を有している。
【００６９】
ここで、切目線１２０Ｋ、１２２Ｋは、折れ線Ｃ２１ｃに対して直角に直線状に形成され、連続した切込みにより形成されている。また、切目線１２４Ｋａは、切目線１２０Ｋから連設され、切目線１２０Ｋに対して直角に直線状に形成され、折れ線Ｃ２２ａの延長線上に形成されている。また、切目線１１８Ｋａは、切目線１１８Ｋａ−１と切目線１１８Ｋａ−２とを有し、切目線１１８Ｋａ−１は、切目線１２４Ｋａの右側面側の端部から切目線１２４Ｋａに対して鈍角に形成され、折れ線Ｃ２１ｃ側にいくほど右側面側となるように水平方向に対して傾斜して直線状に形成されている。また、切目線１１８Ｋａ−２は、切目線１１８Ｋａの右側面側の端部から連設され、水平方向に形成されている。また、折れ線Ｃ２３は、切目線１１８Ｋａ−２の右側面側の端部から水平方向に（つまり、切目線１１８Ｋａ−２の延長線上に）直線状に形成されている。また、切目線１１８Ｋｂ−２は、折れ線Ｃ２３の右側面側の端部から水平方向に（つまり、折れ線Ｃ２３の延長線上に）直線状に形成されている。また、切目線１１８Ｋｂ−１は、切目線１１８Ｋｂ−２の右側面側の端部から連設され、折れ線Ｃ２１ｃ側とは反対側にいくほど右側面側となるように水平方向に対して傾斜して直線状に形成されている。また、切目線１２４Ｋｂは、切目線１１８Ｋｂ−１から連設され、水平方向に形成され、折れ線Ｃ２２ｂの延長線状に形成されている。切目線１２２Ｋは、切目線１２４Ｋｂの右側面側の端部から連設されている。
【００７０】
また、連結板部１１６は、台形形状を呈し、折れ線Ｃ２３に沿った辺部と、折れ線Ｃ２３の左側面側の端部から連設された直線状の切目線１１８Ｋａ−３に沿った辺部と、折れ線Ｃ２３の右側面側の端部から連設された直線状の切目線１１８Ｋｂ−３に沿った辺部と、折れ線Ｃ２４に沿った辺部を有している。
【００７１】
ここで、切目線１１８Ｋａ−３と切目線１１８Ｋｂ−３は、水平方向に対して傾斜して形成され、折れ線Ｃ２３から折れ線Ｃ２４側にいくに従い、切目線１１８Ｋａ−３と切目線１１８Ｋｂ−３間の距離が短くなるようなテーパ状に形成されている。折れ線Ｃ２４の左側面側の端部は、切目線１１８Ｋａ−３に接し、右側面側の端部は、切目線１１８Ｋｂ−３に接している。折れ線Ｃ２３、Ｃ２４は、水平方向に形成されている。
【００７２】
なお、ポケット前部後板部１１４と連結板部１１６とで、ポケット前部後構成部１１３構成される。
【００７３】
また、支持板部１１８は、ポケットを展開状態とした際に、ポケット前部１１１を支持するものであり、連結板部１１６の折れ線Ｃ２３に沿った辺部を除く辺部に沿った辺部（つまり、切目線１１８Ｋａ−３と折れ線Ｃ２４と切目線１１８Ｋｂ−３に沿った辺部）と、切目線１１８Ｋａに沿った辺部と、切目線１１８Ｋｂに沿った辺部と、切目線（第４切目線）１１８Ｋｃに沿った辺部と、切目線（第５切目線）１１８Ｋｄに沿った辺部と、折れ線Ｃ２５に沿った辺部を有している。
【００７４】
ここで、切目線１１８Ｋｃは、切目線１１８Ｋｃ−１と切目線Ｋｃ−２を有し、切目線１１８Ｋｃ−１は、切目線１１８Ｋａ−１と切目線１２４Ｋａの接点から連設され、接着板部１２６側にいくほど右側面側となるように水平方向に対して傾斜して直線状に形成され、切目線１１８Ｋｃ−２は、切目線１１８Ｋｃ−１の接着板部１２６側の端部から連設され、水平方向に対して直角の方向に直線状に形成されている。
【００７５】
また、切目線１１８Ｋｄは、切目線１１８Ｋｄ−１と切目線Ｋｄ−２を有し、切目線１１８Ｋｄ−１は、切目線１１８Ｋｂ−１と切目線１２４Ｋｂの接点から連設され、接着板部１２６側にいくほど左側面側となるように水平方向に対して傾斜して直線状に形成され、切目線１１８Ｋｄ−２は、切目線１１８Ｋｄ−１の接着板部１２６側の端部から連設され、水平方向に対して直角の方向の直線状の切目線が切目線１１８Ｋｄ−１の端部から連設され、さらに、該直線状の切目線の端部から円弧状の切目線が連設されて、該円弧状の切目線は、折れ線Ｃ２５の右側面側の端部で接している。この円弧状の切目線は、円形の開口部１０ｈｂと同心円状に形成されている。つまり、切目線１１８Ｋｄと開口部１０ｈｂ間の長さが著しく短くならないように（著しく短くなると、切目線１１８Ｋｄと開口部１０ｈｂ間の領域が切断（「破断」としてもよい。他においても同じ）するおそれがある）、迂回して形成されている。また、折れ線Ｃ２５は、切目線１１８Ｋｃ−２の接着板部１２６側の端部と切目線１１８Ｋｄ−２の接着板部１２６側の端部との間に水平方向に形成されている。
【００７６】
支持板部１１８は、上記の形状を有しているので、切目線１１８Ｋａに沿った辺部と切目線１１８Ｋａ−３に沿った辺部により形成された突状部１１８−１と、切目線１１８Ｋｂに沿った辺部と切目線１１８Ｋｂ−３に沿った辺部により形成された突状部１１８−２を有している。
【００７７】
なお、切目線１１８Ｋａと切目線１１８Ｋａ−３とで、切目線（第２切目線）１１８ＫＡが構成され、切目線１１８Ｋｂと切目線１１８Ｋｂ−３とで、切目線（第３切目線）１１８ＫＢが構成される。
【００７８】
切目線１２４Ｋａ、１１８Ｋａ、１１８Ｋｂ、１２４Ｋｂは、切断予定線としての切目線であり、切目線１１８Ｋａ−１、１１８Ｋｂ−１は連続した切込みとしての切目線であり、切目線１１８ＫＡ、１１８ＫＢは、全体として切断予定線により形成され、１２４Ｋａと１１８ＫＡからなる切目線は、全体としては切断予定線により形成され、切目線１２４Ｋｂ、１１８ＫＢからなる切目線は、全体としては切断予定線により形成されている。
【００７９】
なお、切目線１２４Ｋａ、１２４Ｋｂが切断予定線であるので、不用意に切目線１１０Ｋが切断しても、切目線１２４Ｋａ、１２４Ｋｂが切断しなければ、支持板部１１８が連結板部１１６に対して回動することがなく、切目線１２４Ｋａ、１２４Ｋｂが切断しなければ、支持板部１１８が連結板部１１６に対して回動することがないので、不用意に切目線１１０Ｋが切断しても、支持板部が、正面後板部１２４や連結板部１１６に対して回動してしまうことがない。
【００８０】
また、同様に、切目線１１８ＫＡ、１１８ＫＢが切断予定線であるので、不用意に切目線１１０Ｋが切断しても、切目線１１８ＫＡ、１１８ＫＢが切断しなければ、支持板部１１６が正面後板部１１８に対して回動することがなく、切目線１１８ＫＡ、１１８ＫＢが切断しなければ、支持板部１１６が傾斜後板部１１４に対して回動することがないので、不用意に切目線１１０Ｋが切断しても、支持板部が、正面後板部１１８や傾斜後板部１１４に対して回動してしまうことがない。
【００８１】
また、ポケット上部左板部１２０は、辺部１１２ａの延長線上の辺部１２０ａと、折れ線Ｃ２１ａに沿った辺部と、切目線１２０Ｋに沿った辺部と、折れ線Ｃ２２ａに沿った辺部を有し、全体に方形状を呈している。折れ線Ｃ２１ａ、Ｃ２２ａの一方の端部は、辺部１２０ａの端部に接し、他方の端部は、切目線１２０Ｋの端部に接している。
【００８２】
同様に、ポケット上部右板部１２２は、辺部１１２ｂの延長線上の辺部１２２ａと、折れ線Ｃ２１ｂに沿った辺部と、切目線１２２Ｋに沿った辺部と、折れ線Ｃ２２ｂに沿った辺部を有し、全体に方形状を呈している。折れ線Ｃ２１ｂ、Ｃ２２ｂの一方の端部は、辺部１２０ｂの端部に接し、他方の端部は、切目線１２２Ｋの端部に接している。
【００８３】
また、正面後板部１２４は、辺部１１２ａの延長線上の辺部１２４ａと、折れ線（第８折れ線）Ｃ２６と、辺部１１２ｂの延長線上の辺部１２４ｂとを有し、接着板部１２６側とは反対側には、折れ線Ｃ２２ａと切目線１２４Ｋａと切目線１１８Ｋｃと折れ線Ｃ２５と切目線１１８Ｋｄと切目線１２４Ｋｂと折れ線Ｃ２２ｂに沿った辺部を有している。
【００８４】
また、正面後板部１２４の上側の領域には、円形の開口部１０ｈｂが形成されている。この開口部１０ｈｂは、開口部１０ｈａに重なった状態で、指を係止するための開口部を形成する。
【００８５】
また、接着板部１２６は、先端側にいくほど幅狭となる台形形状を呈し、左右両側の辺部１２６ａ、１２６ｂは折れ線Ｃ２６に対して鋭角に傾斜している。これは、図９に示すように、接着板部１２６を第１片部６０に接着させた際に、辺部１２６ａ、１２６ｂが第１片部６０の辺部と平行（略平行としてもよい）となるようにするためである。また、接着板部１２６の先端側の辺部１２６ｃは、水平方向に形成されている。
【００８６】
この接着板部１２６は、包装箱Ｐの製造に際して、正面部１０を折り返すために設けられており、組立て装置（「自動製函機」としてもよい（他においても同じ））において、接着板部１２６の箇所で正面部１０の先端側を回動させて、折れ線Ｃ２１ａ、Ｃ２１ｂ、Ｃ２１ｃを介して折り返す。
【００８７】
また、接着板部１２６が第１片部６０に接着されるので、正面後板部をより強固に固定させることができる。
【００８８】
また、折れ線Ｃ２１ａ、Ｃ２１ｂ、Ｃ２１ｃと折れ線Ｃ５間の長さＬ１１と折れ線Ｃ２１ａ、Ｃ２１ｂ、Ｃ２１ｃと折れ線Ｃ２６間の長さＬ１２は、同一（略同一としてもよい）に形成されていて、これにより、ポケット前部前板部１１２とポケット前部後板部１１４が接着し、正面前板部１１０が正面後板部１２４に接着した状態で、接着板部１２６が第１片部６０に接着した状態となる。
【００８９】
また、正面部１０の展開状態において、折れ線Ｃ２１ａと折れ線Ｃ２２ａ間の長さＬ２２や折れ線Ｃ２１ｂと折れ線Ｃ２２ｂ間の長さＬ２３は、折れ線Ｃ２５と折れ線Ｃ２３間の長さＬ２１と略同一（同一としてもよい）に形成されていて、ポケット前部１１１を手前に引き出した際に、ポケット前部前板部１１２の正面側の面は、鉛直方向を向いた状態で正面側下方にスライドし、ポケット前部１１１は、下正面部１０９とは平行（略平行としてもよい）な状態で、正面側下方にスライドする。また、ポケット前部１１１を手前に引き出した際に、ポケット上部左板部１２０及びポケット上部右板部１２２は、正面後板部１２４に対して回動するが、その際、ポケット上部左板部１２０及びポケット上部右板部１２２と支持板部１１８とは略平行を保つことになる。
【００９０】
また、折れ線Ｃ５と、折れ線Ｃ２１ａ、Ｃ２１ｂと、折れ線Ｃ２２ａ、Ｃ２２ｂと、折れ線Ｃ２３と、折れ線Ｃ２４と、折れ線Ｃ２５と、折れ線Ｃ２６は、互いに平行に形成されており、いずれも直線状に形成されている。
【００９１】
正面部１０の展開状態においては、正面部１０における接着板部１２６を除く領域は、開口部１０ｈａ、１０ｈｂと切目線１１８Ｋｄの構成を除き、上下方向の中心線を介して左右線対称に形成されている。
【００９２】
なお、上記の説明において、切目線１２４Ｋａ、１１８Ｋａ−２、１１８Ｋｂ−２、１２４Ｋｂは、切断予定線としての切目線であるとして説明したが、連続した切込みにより形成された切目線として、切断の必要がないものとしてもよい。
【００９３】
また、側面部２０は、正面部１０の右側面側の端部から折れ線Ｃ２を介して連設され、方形状における正面上側の一部を切り欠いた形状を呈し、側面部２０の上辺は、正面前板部１１０の上辺１１０ｂから連続して水平方向に形成された直線状の辺部２０ａと、辺部２０ａの背面側の端部から連設され、背面側に上方に傾斜して形成された直線状の辺部２０ｂと、辺部２０ｂの上端から略円弧状に形成された辺部２０ｃと、辺部２０ｃの上端かつ背面側の端部から背面側に向けて水平に形成された（側面部２０の下辺と平行に形成された）辺部２０ｄとを有している。この辺部２０ｃは、背面部４０の上端の縁部の高さと同じに形成されている。この側面部２０は、本体部（内側右側面部本体部）２２と、分離部（第１分離部）２４とを有している。
【００９４】
また、分離部２４は、側面部２０に形成された切目線（第１切目線）２４ａと開口部２４ｂにより区画された領域であり、切目線２４ａは、横方向に間隔を介して設けられた円弧状の切目線２４ａ−１、２４ａ−２（切目線２４ａ−１と切目線２４ａ−２とは互いに左右対称に形成されている）と、切目線２４ａ−１の下端と２４ａ−２の下端を結ぶ横方向（側面部２０の下辺と平行な方向）の直線状の切目線２４ａ−３とを有し、開口部２４ｂは、横長の長方形状を呈し、開口部２４ｂにおける一対の角部のうちの正面側の角部と切目線２４ａ−２が接続し、開口部２４ｂにおける一対の角部のうちの背面側の角部と切目線２４ａ−１が接続している。切目線２４ａと開口部２４ｂにより囲まれた領域が分離部２４となる。本体部２２は、側面部２０において分離部２４を除いた領域である。分離部２４は、側面部２０における横方向の略中央で上下方向における中央やや下側の位置に形成されている。切目線２４ａ−１、２４ａ−２は、ミシン目状の切目線（間隔をおきながら連続して形成された複数の切込みにより形成された切目線）であり、切目線２４ａ−３は、連続した切込みからなる切目線である。つまり、切目線２４ａは、全体として、切断予定線である。
【００９５】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが切断されて、分離部２４が本体部２２から分離するように形成されている。分離部２４は、片部２２４よりも小さく形成されていて、側面視において、分離部２４の外形が片部２２４の外形よりもはみ出すことがない。
【００９６】
また、開口部２４ｂは、外箱部Ｂにおける片部２２６を押し込むことができるための空間として形成されていて、片部２２６を押し込む際の支障とならないように、開口部２４ｂは、片部２２６よりも大きく形成され、側面視において、片部２２６が開口部２４ｂよりはみ出すことがない。
【００９７】
また、側面部３０は、正面部１０の左側面側の端部から折れ線Ｃ１を介して連設され、方形状における正面上側の一部を切り欠いた形状を呈し、背面側の端部においては、背面部４０の上端の縁部の高さと同じに形成されている。この側面部３０は、本体部（内側左側面部本体部）３２と、分離部（第２分離部）３４とを有している。
【００９８】
この側面部３０の構成は、内箱部Ａの組立て状態では、側面部２０と前後方向に垂直な仮想的な平面である中心面を介して対称に形成されている。
【００９９】
すなわち、分離部３４は、切目線（第２切目線）３４ａと開口部３４ｂとにより区画された領域であり、切目線３４ａは、横方向に間隔を介して設けられた円弧状の切目線３４ａ−１、３４ａ−２と、切目線３４ａ−１の下端と３４ａ−２の下端を結ぶ横方向（側面部３０の下辺と平行な方向）の直線状の切目線３４ａ−３とを有し、開口部３４ｂは、横長の長方形状を呈し、開口部３４ｂにおける一対の角部のうちの正面側の角部と切目線３４ａ−２が接続し、開口部３４ｂにおける一対の角部のうちの背面側の角部と切目線３４ａ−１が接続している。切目線３４ａと開口部３４ｂにより囲まれた領域が分離部３４となる。本体部３２は、側面部３０において分離部３４を除いた領域である。分離部３４は、側面部３０における横方向の略中央で上下方向における中央やや下側の位置に形成されている。切目線３４ａ−１、３４ａ−２は、ミシン目状の切目線（間隔をおきながら連続して形成された複数の切込みにより形成された切目線）であり、切目線３４ａ−３は、連続した切込みからなる切目線である。つまり、切目線３４ａは、全体として、切断予定線である。
【０１００】
この分離部３４の形成位置は、外箱部Ｂの片部２３４の裏側の領域であり、分離部３４は片部２３４の裏側に接着され、片部２３４の上端を外側かつ下方に回動させることにより、分離部３４も片部２３４の裏側に接着したまま切目線３４ａが切断されて、分離部３４が本体部３２から分離するように形成されている。分離部３４は、片部２３４よりも小さく形成されていて、側面視において、分離部３４の外形が片部２３４の外形よりもはみ出すことがない。
【０１０１】
また、開口部３４ｂは、外箱部Ｂにおける片部２３６を押し込むことができるための空間として形成されていて、片部２３６を押し込む際の支障とならないように、開口部３４ｂは、片部２３６よりも大きく形成され、側面視において、片部２３６が開口部３４ｂよりはみ出すことがない。
【０１０２】
また、背面部４０は、側面部２０の背面側の端部から折れ線Ｃ３を介して連設され、全体には方形状を呈している。この背面部４０の横幅は、正面部１０の横幅と同一に形成され、背面部４０の縦幅（最大縦幅）は、側面部２０、３０の縦幅（最大縦幅）と同一に形成されている。
【０１０３】
また、糊代部４９は、背面部４０の左側面側の端部から折れ線Ｃ１を介して連設され、縦方向に細長の帯状台形形状を呈している。この糊代部４９は、その外側の面が側面部３０の背面側の端部領域の内側の面に接着されている。
【０１０４】
また、底面部５０は、いわゆるワンタッチ底であり、第１片部（底面部第２片部）６０と、第２片部（底面部第３片部）７０と、第３片部（底面部第１片部）８０と、第４片部（底面部第４片部）９０とを有し、包装箱Ｐの組立て状態においては、図５に示すように、略方形状の外形を呈している。
【０１０５】
ここで、第１片部６０は、正面部１０の下端から折れ線を介して連設され、先端側にいくほど幅狭となる略台形形状に形成され、その上面の一部が内箱部Ａの内底面の一部を形成している。この第１片部６０は、底面部５０の組立て状態においては、第４片部９０と底面部５０の中心位置（底面部５０の対角の角部を結ぶ２つの直線の交点）を介して点対称に形成されている。
【０１０６】
また、第２片部７０は、側面部２０の下端から折れ線を介して連設され、略長方形状に形成され、第２片部７０の上面の一部が内箱部Ａの内底面の一部を形成している。また、第２片部７０の角部（側面部２０と背面部４０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａを折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【０１０７】
また、第３片部８０は、側面部３０の下端から折れ線を介して連設され、底面部５０の組立て状態においては、第２片部７０と底面部５０の中心位置を介して点対称に形成されている。すなわち、第３片部８０は、側面部３０の下端から折れ線を介して連設され、略長方形状に形成され、第３片部８０の上面の一部が内箱部Ａの内底面の一部を形成している。また、第３片部８０の角部（正面部１０と側面部３０の境界位置の下端）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａを折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【０１０８】
また、本体部８２には、内箱部Ａの展開状態で第１片部６０と反対側の端部（内箱部Ａの組立て状態で背面部４０側の端部）に切欠部８２ａが設けられている。これは、図１０に示すように、包装箱Ｐの製造工程において、側面部３０において糊代部４９が接着する領域を第３片部８０から露出させておくためである。
【０１０９】
また、第４片部９０は、背面部４０の下端から折れ線を介して連設され、先端側にいくほど幅狭となる略台形形状に形成され、その上面の一部が内箱部Ａの内底面の一部を形成している。
【０１１０】
以上のように、底面部５０において、隣接する２つの片部（第１片部６０と第３片部８０）である底面部第１片部対の一方における他方の側の部分である先端部（第１端部領域）８４が折れ線を介して折曲げ可能であり、該先端部８４が第１片部６０に接着され、他の隣接する２つの片部（第２片部７０と第４片部９０）である底面部第２片部対の一方における他方の側の部分である先端部（第２端部領域）７４が折れ線を介して折曲げ可能であり、該先端部７４が第４片部９０に接着されている。
【０１１１】
内箱部Ａを箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角（略直角としてもよい）となっている。
【０１１２】
また、内箱部Ａは、平板状に折り畳むことができ（図１２参照）、内箱部Ａにおいては、正面部１０と側面部３０との角度を小さくし（つまり、直角より小さくする）、背面部４０と側面部２０との角度を小さくさせる（つまり、直角より小さくする）ことにより、四角筒状のスリーブ状部５が扁平になるとともに、底面部５０を構成する各部がスリーブ状部５内に回動して、内箱部Ａが全体に平板状に折り畳むことができる。内箱部Ａを折り畳んだ状態では、底面部５０を構成する各部は、スリーブ状部５内にスリーブ状部５を構成する正面部１０、側面部２０、３０、背面部４０に対して略平行な状態となる。
【０１１３】
次に、外箱部Ｂは、内箱部Ａを覆う箱体であり、図１〜図３、図７等に示すように、スリーブ状部（外側スリーブ状部）２０５と、フラップ部２６０、２９０と、蓋部２７０、２８０とを有していて、その展開状態は、図７に示すように形成されている。
【０１１４】
ここで、スリーブ状部２０５は、組み立てた状態では、四角形状の筒状を呈し、正面部（外側正面部）２１０と、側面部（外側右側面部）２２０と、側面部（外側左側面部）２３０と、背面部（外側背面部）２４０と、糊代部２４２とを有している。
【０１１５】
ここで、正面部２１０は、方形状（長方形状）の板状を呈している。この正面部２１０の横幅は、内箱部Ａを収納することができるように、内箱部Ａの左右方向の幅よりも若干大きく形成されている。
【０１１６】
また、側面部２２０は、正面部２１０の右側面側の端部から折れ線Ｃ１２を介して連設され、方形状を呈し、切目線２２２と切目線２２４ａ、２２４ｂが形成されている。
【０１１７】
ここで、切目線２２２は、ミシン目状の切込み（間隔をおきながら形成された切込み）（切断予定線）により形成され、横方向に間隔を介して設けられた円弧状の切目線２２２ａ、２２２ｃと、切目線２２２ａの上端と２２２ｃの上端を結ぶ横方向（側面部２２０の下辺と平行な方向）の直線状の連続した切込みからなる切目線２２２ｂとを有し、全体に下向きの略コ字状を呈している。切目線（第５切目線）２２２と、切目線２２２ａ及び切目線２２２ｃの切目線２２２ｂ側とは反対側の端部間を結ぶ折れ線Ｃ２２４により囲まれた領域が、片部（第１片部）２２４となる。
【０１１８】
また、切目線２２２ｂの一方の端部から他方の端部までに途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部２２６となる。この側面部２２０の横幅は、内箱部Ａを外箱部Ｂ内に収納することができるように、側面部２０の横幅よりも若干大きく形成されている。
【０１１９】
また、側面部２３０は、正面部２１０の正面視における左側の端部から折れ線Ｃ１１を介して連設され、方形状を呈し、切目線（第６切目線）２３２と切目線２３４ａ、２３４ｂが形成されている。
【０１２０】
この側面部２３０の構成は、側面部２２０と前後方向に垂直な仮想的な平面である中心面を介して対称に形成されていて、切目線２３２は、切目線２２２と対称に形成され、横方向に間隔を介して設けられた円弧状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（第２片部）２３４となる。
【０１２１】
また、切目線２３２ｂの一方の端部から他方の端部までに途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部２３６となる。この側面部２３０の横幅は、内箱部Ａを外箱部Ｂ内に収納することができるように、側面部３０の横幅よりも若干大きく形成されていて、側面部２２０の横幅と同一に形成されている。
【０１２２】
また、背面部２４０は、側面部２２０の背面側の端部から折れ線Ｃ１３を介して連設され、方形状を呈している。この背面部２４０の横幅は、正面部２１０の横幅と同一に形成され、内箱部Ａを外箱部Ｂ内に収納することができるように、内箱部Ａの左右方向の幅よりも若干大きく形成されている。
【０１２３】
また、糊代部２４２は、側面部２３０の背面側の端部から折れ線Ｃ１０を介して連設され、縦方向に細長の帯状台形形状を呈している。この糊代部２４２は、図２に示すように、その内側の面が背面部２４０の外側の面に接着されている。
【０１２４】
また、正面部２１０と側面部２２０、２３０と背面部２４０の縦幅は同一に形成されていて、内箱部Ａの縦幅よりも大きく形成されている。すなわち、外箱部Ｂのスリーブ状部２０５の縦方向の長さは、内箱部Ａのスリーブ状部５の縦方向の長さ（最大長さ）よりも大きく形成されている。
【０１２５】
また、フラップ部（第１フラップ部、特定蓋部片部）２６０は、正面部２１０の上端から折れ線を介して連設され、正面部２１０の上端に沿って横長の長方形状の両側の先端側の角部を面取りするとともに、先端側の略中央位置に切欠部を形成した形状を呈している。すなわち、フラップ部２６０は、正面部２１０の上辺の左側面側の端部近傍から該上辺に対して直角をなす直線状の辺部２６０ａと、辺部２６０ａに対して略１３５度に傾斜した直線状の辺部２６０ｂと、辺部２６０ｂから連設され、正面部２１０の上辺と平行な直線状の辺部２６０ｃと、正面部２１０の上辺の右側面側の端部近傍から該上辺に対して直角をなす直線状の辺部２６０ｄと、辺部２６０ｄに対して略１３５度に傾斜した直線状の辺部２６０ｅと、辺部２６０ｅから連設され、正面部２１０の上辺と平行な直線状の辺部２６０ｆと、辺部２６０ｃと辺部２６０ｆ間に形成された切欠部２６０ｇとを有している。辺部２６０ｂ、２６０ｅが面取りを形成している。
【０１２６】
切欠部２６０ｇは、辺部２６０ｃから正面部２１０の上辺に向けて斜めに形成された辺部２６０ｇ−１と、辺部２６０ｇ−１から連設され、正面部２１０の上辺に対して平行な辺部２６０ｇ−２と、辺部２６０ｆから正面部２１０の上辺に向けて斜めに形成され、辺部２６０ｇ−２の右側面側の端部と接する辺部２６０ｇ−３とを有し、辺部２６０ｇ−１と辺部２６０ｇ−３とは、正面部２１０側にいくほど辺部２６０ｇ−１と辺部２６０ｇ−３間の長さ短くなるテーパ状を呈している。
【０１２７】
フラップ部２６０の先端から基端までの長さ（正面部２１０の上辺と辺部２６０ｃ、２６０ｆ間の長さ）は、蓋部２７０、２８０やフラップ部２９０の先端から基端までの長さよりも短く形成されており、具体的には、図８に示すように、展開状態の外箱部Ｂと展開状態の内箱部Ａとをスリーブ状部５、２０５の下辺を一致させて重ねた状態で、接着板部１２６がフラップ部２６０の上端（辺部２６０ｃ、２６０ｆ）よりも突出する長さとなっている。そして、組立て装置により自動製函する際に、フックにより接着板部１２６を係止するが、切欠部２６０ｇが設けられていることにより、切欠部２６０ｇの位置で接着板部１２６を係止することにより（つまり、接着板部１２６において、内箱部Ａの搬送方向に対して直角の方向において、切欠部２６０ｇに対応した部分を係止することにより）、接着板部１２６を係止しやすくして、接着板部１２６と正面後板部１１８と支持板部１１６と傾斜後板部１１４を傾斜前板部１１２と正面前板部１１０に対して折り返すことができるようになっている。
【０１２８】
また、蓋部２７０は、側面部２２０の上端から折れ線を介して連設され、略方形状（略長方形状）を呈し、長方形状における両側の先端側の角部を面取りした形状を呈している。
【０１２９】
また、蓋部２８０は、側面部２３０の上端から折れ線を介して連設され、略方形状（略長方形状）を呈し、長方形状における両側の先端側の角部を面取りした形状を呈している。この蓋部２８０は、蓋部２７０と同大同形状に形成されている。、
また、フラップ部２９０は、背面部２４０の上端から折れ線を介して連設され、略方形状（略長方形状）を呈し、長方形状における両側の先端側の角部を面取りした形状を呈している。
【０１３０】
なお、蓋部２７０、２８０における先端側の辺部（スリーブ状部２０５側とは反対側の辺部）に対する面取りの角度は、フラップ部２６０、２９０における先端側の辺部（スリーブ状部２０５側とは反対側の辺部）に対する面取りの角度よりも小さく形成されている。
【０１３１】
これら蓋部２７０、２８０及びフラップ部２６０、２９０は、外箱部Ｂの上面を開閉するものであり、特に、蓋部２７０、２８０を閉状態とすることにより外箱部Ｂの上面が塞がれる。つまり、蓋部２７０、２８０の基端から先端までの長さは、正面部２１０及び背面部２４０の横方向の長さの半分であり、蓋部２７０、２８０を閉じた際には、蓋部２７０の先端と蓋部２８０の先端が接する。蓋部２７０、２８０及びフラップ部２６０、２９０は、いわゆるＡ式と言われるものである。なお、蓋部２７０、２８０及びフラップ部２６０、２９０は、予め上方に立設した状態になっていて、外箱部Ｂの上方が開口した状態になっている。
【０１３２】
また、正面部２１０と側面部２２０の境界位置の下側には縦長帯状の開口部Ｋ２２０が形成され、また、正面部２１０と側面部２３０の境界位置の下側には縦長帯状の切欠部Ｋ２３０が形成され、内箱部Ａと外箱部Ｂとを接着した状態では、開口部Ｋ２２０の上端が正面部１０と側面部２０間の境界位置の上端と略一致し、切欠部Ｋ２３０の上端が正面部１０と側面部３０間の境界位置の上端と略一致し、特に、切欠部Ｋ２３０の上端が正面部１０と側面部３０間の境界位置の上端と係合している。
【０１３３】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となっている。
【０１３４】
次に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【０１３５】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。
【０１３６】
以上のように、内箱部Ａは外箱部Ｂの内側に収納した状態となっていて、内箱部Ａの底面部５０以外は外箱部Ｂに被覆された状態となっている。つまり、外箱部Ｂの下端の高さ方向の位置は、内箱部Ａの下端の高さ方向の位置と略同一であり、フラップ部２６０〜２９０を封止した状態では内箱部Ａにおいては底面部５０のみが露出している。
【０１３７】
なお、上記構成の包装箱Ｐは、内箱部Ａが上記のように折り畳むことができ、また、外箱部Ｂがスリーブ状部２０５を有し、全体に略スリーブ状を呈しているので、包装箱Ｐの状態においても平板状に折り畳むことができ、正面部２１０を側面部２３０に対して略平行になるようにし、かつ、側面部２２０を背面部２４０に対して略平行になるようにすることにより、図１２に示すように平板状に折り畳むことができる。
【０１３８】
なお、上記内箱部Ａ及び外箱部Ｂにおいて、各折れ線の箇所には、予め罫線が形成されている。
【０１３９】
上記構成の包装箱Ｐの製造工程について説明する。まず、展開状態の内箱部Ａと外箱部Ｂとを製造する。
【０１４０】
次に、外箱部Ｂの内側の面に内箱部Ａの外側の面を接着させる（第１接着工程）。つまり、展開状態の外箱部Ｂの内側の面を上側にして、片部２２４における分離部２４との接着領域と片部２３４における分離部３４との接着領域に接着剤を塗布して、展開状態の内箱部Ａを図１０に示すように重ねる。これにより、分離部２４と片部２２４が接着され、分離部３４と片部２３４が接着される。その際、外箱部Ｂのスリーブ状部２０５の下辺と内箱部Ａのスリーブ状部５の下辺とが略一致する（一致するとしてもよい）ようにし、また、外箱部Ｂと内箱部Ａとにおいて、折れ線Ｃ２と折れ線Ｃ１２を一致させる。なお、スリーブ状部５とスリーブ状部２０５において、互いに対応する部材の横方向の長さは、外箱部Ｂの方が長く形成されているので、図８に示すように、折れ線Ｃ１３は、折れ線Ｃ３に対して外側にずれ、折れ線Ｃ１１は折れ線Ｃ１に対して外側にずれる。なお、外箱部Ａ２のスリーブ状部２０５の下辺と内箱部Ａのスリーブ状部５の下辺とを略一致させるので、内箱部が外箱部の下方から見えてしまい見栄えが悪くなることがない。
【０１４１】
なお、外箱部Ｂに内箱部Ａを接着した状態では、接着板部１２６は、フラップ部２６０に対して突出し、接着板部１２６の一部は、外箱部Ｂ（具体的には、フラップ部２６０）に重ならない非重なり領域となる。
【０１４２】
次に、接着板部１２６と第１片部６０の接着板部１２６との接着領域のいずれかへの接着剤の塗布と、正面前板部１１０と正面後板部１２４のいずれかへの接着剤の塗布と、ポケット前部前板部１１２とポケット前部後板部１１４のいずれかへの接着剤の塗布を行い、その後、接着板部１２６と正面後板部１２４とポケット上部右板部１２２とポケット上部左板部１２０と支持板部１１８と連結板部１１６とポケット前部後板部１１４からなる領域（以下「正面部１０における先端側領域」とする）を折れ線Ｃ２１を介してポケット前部前板部１１２に対して折り返して、図９に示すようにする。これにより、接着板部１２６と第１片部６０とが接着され、正面前板部１１０と正面後板部１２４とが接着され、ポケット前部前板部１１２とポケット前部後板部１４とが接着される（第２接着工程）。なお、接着剤を塗布する領域として、ポケット前部前板部１１２とする場合には、図６の領域Ｒ１に接着剤を塗布し、正面前板部１１０とする場合には、図６の領域Ｒ２に接着剤を塗布し、第１片部６０とする場合には、領域Ｒ３に接着剤を塗布する。
【０１４３】
正面部１０における先端側領域を折れ線Ｃ２１を介して傾斜前板部１１２に対して折り返す際には、組立て装置においては、図１３（ａ）に示すように、搬送されてくる内箱部Ａ及び外箱部Ｂの接着板部１２０（特に、非重なり領域）にフック（フック状部材、係止用部材）３００を係止させ（引っ掛けとしてもよい）、フック３００は、接着板部１２０に係止した状態で正面部１０における先端側領域を持ち上げる方向（３００Ａに示す回動方向）に回動し、フック３００が回動するとともに、内箱部Ａ及び外箱部Ｂが搬送されてくるので、正面部１０における先端側領域は、正面部１０における基端側領域（該基端側領域は、ポケット前部前板部１１２と正面前板部１１０とからなる）に対して立ち上がっていき、図１３（ｂ）に示すように、正面部１０における先端側領域が、正面部１０における基端側領域に対して直角の状態になると、今度は、フック３００は、正面部１０の先端側領域が正面部１０の基端側領域に対して折り畳む方向（３００Ｂに示す回動方向、３００Ａの方向とは逆の回動方向）に回動して、図１３（ｃ）に示すように、正面部１０は、二つ折りの状態となる。フック３００は、回動軸３００Ｐを中心に回動し、回動軸３００Ｐの軸芯は搬送方向と直角の方向で水平方向（外箱部Ｂの配置面の方向）となっている。なお、本実施例の製造工程では、内箱部Ａ及び外箱部Ｂの搬送は、正面部１０において、接着板部１２０を先頭側とし正面前板部１１０を後尾側として搬送され、また、内箱部Ａ及び外箱部Ｂの搬送は等速で行われる。また、フック３００の回動軸の方向は、内箱部Ａ及び外箱部Ｂの搬送方向と直角の方向にあるといえる。また、フック３００の３００Ａに示す回動方向は、搬送方向の側への回動方向であり、３００Ｂに示す回動方向は、搬送方向の側への回動方向とは逆の回動方向である。なお、図１３は、正面部１０の位置で正面部１０の下辺と直角の方向に破断した際の端面図であるといえる。また、正面部１０における先端側領域は、「特定内箱部側面部において、第１折れ線よりも接着板部側の領域」である。
【０１４４】
以上のように、正面部１０における先端側領域の折返しに際しては、フック３００で接着板部１２０を引っ掛けた状態で行なうが、接着板部１２０に非重なり領域が設けられているので、該非重なり領域をフック３００で引っ掛けることができる。
【０１４５】
次に、内箱部Ａの底面部５０を構成する各部をスリーブ状部５に対して内側に折り返し、さらに、第２片部７０の先端部７４を本体部７２に対して外側に折り返すとともに、第３片部８０の先端部８４を本体部８２に対して外側に折り返して、図１０に示す状態とする（第２折り返し工程）。つまり、第１片部６０を正面部１０との境界の折れ線を介して正面部１０側に折り返し、第２片部７０を側面部２０との境界の折れ線を介して側面部２０側に折り返し、第３片部８０を側面部３０との境界の折れ線を介して側面部３０側に折り返し、第４片部９０を背面部４０との境界の折れ線を介して背面部４０側に折り返し、さらに、先端部７４を本体部７２に対して折り返すとともに、先端部８４を本体部８２に対して折り返す。
【０１４６】
次に、先端部７４の領域に接着剤を塗布して（第１接着剤塗布工程）、背面部２４０を折れ線Ｃ１３を介して側面部２２０の側に内側に折り返す（折り返し工程）ことにより、背面部４０を折れ線Ｃ３を介して側面部２０側に折り返し、図１１に示す状態とする。すると、先端部７４が第４片部９０に接着される。
【０１４７】
次に、先端部８４の領域と、糊代部４９の領域と、糊代部２４２の領域に接着剤を塗布して（第２接着剤塗布工程）、側面部２３０を折れ線Ｃ１１を介して正面部２１０の側に内側に折り返すことにより、側面部３０を折れ線Ｃ１を介して正面部１０側に折り返し、図１２に示す状態とする。すると、先端部８４と第１片部６０が接着され、糊代部４９が側面部３０に接着され、糊代部２４２が背面部２４０に接着される（第３接着工程）。なお、糊代部４９の代わりに、側面部３０における糊代部４９との接着領域に接着剤を塗布してもよく、また、糊代部２４２の代わりに、背面部２４０における糊代部２４２との接着領域に接着剤を塗布してもよい。以上のようにして、包装箱Ｐが製造される。なお、上記の製造は、組立て装置により自動で製造される。
【０１４８】
なお、上記の製造工程において、第３片部８０を側面部３０側に折り返し、第１片部６０を正面部１０側に折り返し、さらに、先端部８４を本体部８２に対して折り返す工程は、背面部２４０を側面部２２０の側に折り返して、先端部７４を第４片部９０に接着した後で、先端部８４の領域と、糊代部４９の領域と、糊代部２４２の領域に接着剤を塗布する前に行ってもよい。つまり、第２接着工程は、折り返し工程の後に行ってもよい。第３片部８０を側面部３０側に折り返し、第１片部６０を正面部１０側に折り返し、さらに、先端部８４を本体部８２に対して折り返す工程と、その後に、先端部８４と糊代部４９、２４２に接着剤を塗布する工程が、第２折り返し・接着剤塗布工程となる。その場合、上記折返し工程では、第２片部７０と第４片部９０を折り返して、先端部７４を折り返し、その後、先端部７４に接着剤を塗布することになる（第１折り返し・接着剤塗布工程）。
【０１４９】
また、先端部７４への接着剤の塗布は、第２片部７０を折り返し先端部７４を折り返した状態で行うとしたが、図９の状態で先端部７４（又は第４片部９０）に接着剤を塗布した後に、第２片部７０を図１０に示す状態としてもよい（第１接着剤塗布・折り返し工程）。
【０１５０】
また、先端部８４への接着剤の塗布は、第３片部８０を折り返し先端部８４を折り返した状態で行うとしたが、図９の状態で先端部８４（又は第１片部６０）に接着剤を塗布した後に、第３片部８０を図１０に示す状態としてもよい（第２接着剤塗布・折り返し工程）。なお、図９の状態で先端部８４に接着剤を塗布した後に、第３片部８０を図１０に示す状態とするのは、背面部２４０を側面部２２０の側に折り返して、先端部７４を第４片部９０に接着した後でもよく（第２接着剤塗布・折り返し工程）、図１０の状態で先端部８４に接着剤を塗布した後に、第３片部８０を図１０に示す状態とするのと同時に行ってもよい。
【０１５１】
上記構成の包装箱Ｐの使用状態について説明する。包装箱Ｐを使用しない状況では、包装箱Ｐは平板状に折り畳むことができるので、折り畳んで保管しておく。すなわち、外箱部Ｂがスリーブ状部２０５を有するとともに、内箱部Ａがスリーブ状部５を有しているので、包装箱Ｐの状態においても平板状に折り畳むことができ、正面部２１０と側面部２２０間の角度を大きくし、側面部２３０と背面部２４０間の角度を大きくすることにより、図１２に示すように平板状に折り畳むことができる。
【０１５２】
次に、包装箱Ｐを使用する際に、包装箱Ｐを組み立てる。すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０がスリーブ状部５、２０５に対して直角になるようにすることにより包装箱Ｐが立体状に組み立てられる。
【０１５３】
そして、図１４に示すように、包装箱Ｐの上方から複数の内箱被収納物（商品）Ｇを内箱部Ａ内に収納する。図１４は、袋状の商品である例を示しているが、他の内箱被収納物であってもよい。なお、蓋部２７０、２８０及びフラップ部２６０、２９０は、予め上方に立設した状態になっていて、外箱部Ｂの上方が開口した状態になっているので、内箱被収納物Ｇはそのまま包装箱Ｐの上方から収納すればよい。その後、フラップ部２６０、２９０を閉じた後に蓋部２７０、２８０を閉じて、図１５に示すように、接着テープＴを外箱部Ｂの正面部２１０から上面を経て背面部２４０側にまで接着させることにより、蓋部２７０、２８０を封止する。
【０１５４】
以上のようにして、内箱被収納物Ｇを包装箱Ｐに包装したら、内箱被収納物Ｇを収納した包装箱Ｐを内箱被収納物Ｇを陳列する場所に搬送する。
【０１５５】
その後、内箱被収納物を陳列する場合には、外箱部Ｂを内箱部Ａから分離する。すなわち、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【０１５６】
同様に、外箱部Ｂの側面部２３０の片部２３６を内側に押し込むことにより片部２３４の先端に指を引っかけることができるようにした後に、片部２３４を外側に回動させて、図１６に示す状態とする。つまり、折れ線Ｃ２３４が回動軸となって片部２３４が上下方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【０１５７】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０１５８】
そして、図１７に示すように、外箱部Ｂを上方に引き上げることにより、内箱被収納物、つまり、商品Ｇを収納した状態で、かつ、分離部２４、３４が分離した状態の内箱部Ａが残るので、商品Ｇを収納した状態で内箱部Ａを陳列する。商品Ｇを陳列する際には、傾斜前板部１１２を傾斜させて表示状態とする。
【０１５９】
次に、正面部１０を組み立てて、ポケットを展開した状態（展開状態のポケットを形成した状態としてもよい）にするには、まず、ポケット前板部１１１を手前に引く。すなわち、開口部１０ｈに指を入れて、ポケット前部前板部１１２の右下の端部をつかみ、手前（正面側）に引っ張る（図１８参照）。
【０１６０】
すると、ポケット前部前板部１１２の下端が正面前板部１１０に対して引っ張られるので、切目線１１０Ｋが切断し、ポケット前部前板部１１２が手前にひっぱられるに伴い、ポケット前部前板部１１２に接着されたポケット前部後板部１１４も正面側に移動して、正面後板部１２４から離れるので、切目線１２４Ｋａ、１２４Ｋｂが切断する。
【０１６１】
また、図１９に示すように、ポケット前部前板部１１２が手前に引っ張られて移動するのに伴い、ポケット上部左板部１２０とポケット上部右板部１２２と支持板部１１８が正面後板部１２４に対して回動し、連結板部１１６がポケット前部後板部１１４に対して背面側に回動するとともに、支持板部１１８に対して背面側（具体的には、背面側斜め上方）に回動するので、これにより、切目線１１８Ｋａ、１１８Ｋｂが切断して、突状部１１８−１、１１８−２がポケット前部前板部１１２の裏面を押して、突状部１１８−１、１１８−２の位置（具体的には、左右方向の範囲において、ポケット前部前板部１１２とポケット前部後板部１１４の接着された領域よりも外側の範囲（突状部１１８−１、１１８−２の位置を含む））でポケット前部前板部１１２とポケット前部後板部１１４間に隙間が形成されて、側面視において、ポケット前部前板部１１２とポケット前部後板部１１４とが開いた状態となる（図２０参照）。この図２０に示す状態では、側面視における支持板部１１８とポケット前部前板部１２がなす上側の角度α１１は、鈍角を形成する。なお、図２０は、図１９の状態に対応するものである。
【０１６２】
なお、突状部１１８−１、１１８−２がポケット前部前板部１１４を押して、ポケット前部前板部１１２とポケット前部後板部１１４間に隙間が形成された状態では、ポケット前部後板部１１４の左右方向における中央領域（折れ線Ｃ２４の一方の端部から他方の端部までの領域）はポケット前部前板部１１２と接着されているので、ポケット前部後板部１１４は、接着領域が正面側に膨出し、左右の端部側にいくに従い、背面側に湾曲した形状となる。
【０１６３】
その後、さらに、ポケット前部１１１を正面側下方に引き出すことにより、支持板部１１８が正面側に回動し、支持板部１１８とポケット前部前板部１１２がなす上側の角度が小さくなり、側面視において、支持板部１１６がポケット前部前板部１１２に対して直角の状態となった際に、ポケット前部前板部１１２とポケット前部後板部１１４間の隙間が最も大きくなる。支持板部１１６がポケット前部前板部１１２に対して直角では、ポケット上部左板部１２０とポケット上部右板部１２２もポケット前部前板部１１２に対して略直角の状態となる。
【０１６４】
その後、さらに、ポケット前部１１１を下方に移動させて、ポケット上部左板部１２０とポケット上部右板部１２２が正面側に下方に傾斜するまで傾けると、支持板部１１６とポケット前部前板部１１２がなす上側の角度が直角よりもさらに小さくなり、支持板部１１８の突状部１１８−１、１１８−２の先端のポケット前部前板部１１２の裏面との接触が解除されて、突状部１１８−１、１１８−２の先端とポケット前部前板部１１２の裏面との間に隙間が形成される。また、ポケット前部１１１を下方に十分移動させて、ポケット上部左板部１２０とポケット上部右板部１２２と支持板部１１８の正面後板部１２４に対する折曲げを十分行なうと、連結板部１１６がポケット前部後板部１１４と支持板部１１８に対して十分折り曲げられる。
【０１６５】
そして、ポケット前部１１１を下方に移動させていた力を解除することにより、支持板部１１８とポケット上部左板部１２０とポケット上部右板部１２２の正面後板部１２４に対する折曲げから復帰しようとして、、支持板部１１８とポケット上部左板部１２０とポケット上部右板部１２２の正面側の端部が上昇してポケット前部１１１が上昇するが、支持板部１１８のポケット前部前板部１１２に対する角度が略直角の位置で、突状部１１８−１、１１８−２の先端がポケット前部前板部１１２の裏面に接し、これにより、ポケット前部１１１の上昇が停止して、図２１〜図２３に示す様に、ポケット前部１１１と下正面部１０９（特に、正面後板部１２４）と支持板部１１８とポケット上部左板部１２０とポケット上部右板部１２２とで囲まれた展開状態のポケット（収納部）Ｗが形成される。
【０１６６】
形成された展開状態のポケットにおいては、ポケット前部１１１と下正面部１０９とが互いに略平行に鉛直方向に配置され（特に、ポケット前部後板部１１４と下正面部１０９（特に、正面後板部１２４）が平行（略平行としてもよい）となる）、支持板部１１８は略水平方向となる。また、連結板部１１６は、側面視において、支持板部１１８とポケット前部後板部１１４に対して略４５度をなす。なお、連結板部１１８が支持板部１１８とポケット前部後板部１１４に対して傾斜した状態となるので、支持板部１１６がポケット前部前板部１１２に対して略直角にしやすいといえる。
【０１６７】
このポケットに、商品の広告や説明等を記載したカード等のポケット被収納物を収納して使用することができる。なお、正面後板部１２４には、支持板部１１８が正面側に折曲されていることにより、左右方向に折れ線Ｃ２５の長さ（最小長さ）の切欠きが形成されているので、ポケット被収納物の左右方向の長さは、折れ線Ｃ２５の長さよりも長いものとし、また、ポケット上部左板部１２０とポケット上部右板部１２２が設けられているので、被収納物の左右方向の長さは、折れ線Ｃ２１ｃの長さよりも短いものとする。また、ポケットＷの左側面側と右側面側の面には壁部は設けられていないので、ポケット被収納物の上下方向の長さは、折れ線Ｃ２２ａ（折れ線Ｃ２２ｂとしてもよい）と折れ線Ｃ２５間の上下方向の長さよりも長くする。
【０１６８】
以上のようにして、内箱部Ａの正面側に商品の広告や説明等を記載したカード等のポケット被収納物を配置した状態で、内箱被収納物（つまり、商品）を内箱部Ａに収納した状態で内箱被収納物を陳列することができる。特に、ポケットＷは正面側に突出して設けられるため、内箱被収納物を収納した状態の内箱部Ａを棚に置いた状態では、プライスレール（つまり、棚に載置される物の脱落を防止し、値札を設置するためのプライスレール）を正面側に超えてポケット被収納物を配置できるので、ポケットに収納されたカード等のポケット被収納物をユーザに気づきやすくして販促効果を高めることができる。
【０１６９】
また、本実施例の正面部１０の構成によれば、傾斜部１１１を正面側に引き出す操作を行なうのみでポケットを形成できるので、操作が極めて容易である。特に、ポケットを形成するに際して、差込みや係止の操作がないので、ポケットを形成するための操作が容易となる。
【０１７０】
なお、展開状態のポケットをポケットが折り畳まれた状態（図１８に示す状態。ただし、当然切目線は切断されている）にするには、上記と逆に、ポケット前部１１１を上側かつ背面側に移動させて、側面視における支持板部１１８とポケット前部前板部１２がなす上側の角度α１１が大きくなるように、ポケット上部左板部１２０、ポケット上部右板部１２２、支持体部１１８を正面後板部１２４に対して背面側に回動させて、図１８に示す状態で、ポケットＷが折り畳まれる。
【０１７１】
なお、本実施例では、ポケットＷの展開状態と折畳み状態間の操作を繰り返しても、展開状態において、ある部材が他の部材に係止することがないので、係止箇所の破損がなく、展開状態と折畳み状態とを繰り返して使用することができる。つまり、係止箇所がある場合には、展開状態と折畳み状態を繰り返すうちに、係止箇所が破損するおそれがあるが、そのようなおそれがない。
【０１７２】
本実施例の包装箱Ｐによれば、図１や図２に示すように、上方が開口した包装箱Ａに対して上方から内箱被収納物である商品を収納して、蓋部２７０、２８０を閉じて１つの接着テープＴにより封止するのみであるので、容易に内箱被収納物（商品）の梱包作業を行うことができる。
【０１７３】
さらに、本実施例の包装箱Ｐの製造方法によれば、上記のように、外箱部Ｂと内箱部Ａを重ねて接着した後に、接着剤を塗布した後に折り返す工程を２回行う（つまり、図１０の状態から図１１の状態への工程と、図１１の状態から図１２の状態への工程）ことにより製造することができるので、包装箱Ｐの製造が容易となる。
【０１７４】
なお、上記の説明においては、支持板部１１８とポケット前部後板部１１４の間に連結板部１１６を設けるとして説明したが、図２４に示すように、折れ線Ｃ２３の構成を省略して、図６におけるポケット前部後板部１１４と連結板部１１６とを合わせた形状のポケット前部後構成部１１３とし、この場合のポケット前部後構成部１１３は、折れ線が設けられていない１枚の板状とする。これにより、ポケット前部後構成部１１３から折れ線Ｃ２４を介して支持板部１１８が連設されている構成となる。なお、図２４の場合には、支持板部１１８の突状部１１８−１、１１８−２の長さ（図２４における上下方向の長さ）（基端から先端までの長さ）は、図６の場合に比べて若干短く構成される。
【０１７５】
また、上記の説明においては、切目線１１８Ｋｃと切目線１２０Ｋの間に切目線１２４Ｋａが設けられ、切目線１１８Ｋｄと切目線１２２Ｋの間に切目線１２４Ｋｂが設けられているとしたが、切目線１２４Ｋａ、１２４Ｋｂの構成を省略して、支持板部１１６がポケット前部後板部１１４の左右両側の端部にまで形成されているようにしてもよい。つまり、その場合には、切目線１１８Ｋｃと１１８Ｋａは、切目線１２０Ｋの端部（折れ線Ｃ２２ａ側の端部）に接し、切目線１１８Ｋｄと１１８Ｋｂは、切目線１２２Ｋの端部（折れ線Ｃ２２ｂ側の端部）に接することになる。
【０１７６】
また、外箱部Ｂにおいて、切目線２２２ａ、２２２ｃ、２３２ａ、２３２ｃは切断予定線であるとしたが、連続した切込みにより形成された切目線でもよい。
【０１７７】
なお、上記の説明において、図８〜図１２に示す工程で包装箱Ｐを製造するとして説明したが、外箱部Ｂと内箱部Ａの展開状態を左右対称として製造してもよい。すなわち、図７に示す状態の外箱部Ｂの上面に図５に示す状態の内箱部Ａを重ねて接着し、内箱部Ａの底面部を構成する各部を折り返すとともに、第２片部７０の先端部と第３片部８０の先端部を外側に折り返して、先端部７４に接着剤を塗布して背面部２４０を折り返し、さらに、先端部８４と糊代部４９、２４２に接着剤を塗布して側面部２３０を折り返すことにより包装箱を製造してもよい。その場合に製造された包装箱は、図１〜図４の構成に際して左右対称に形成されることになる。
【０１７８】
また、内箱部Ａの底面部５０において、第２片部７０が側面部２０から連設され、第３片部８０が側面部３０から連設されているとしたが、第２片部７０と第３片部８０の一方が正面部１０から連設され、他方が背面部４０から連設され、第１片部６０と第４片部９０の一方が側面部２０から連設され、他方が側面部３０から連設されるものとしてもよい。
【０１７９】
また、上記の説明では、内箱部Ａの底面部５０はワンタッチ底であるとしたが、これには限られず、例えば、アメリカンロック（底組み形式）やＡ式（みかん箱の形式）であってもよい。なお、アメリカンロックやＡ式の場合でも、接着板部１２６は、底面部を構成する片部で、正面部１０（つまり、特定内箱部側面部）の下辺から連設された片部に接着されることになる。
【０１８０】
なお、アメリカンロックやＡ式の場合には、製造工程において、スリーブ状部５の下辺から連設された各部をスリーブ状部５に対して内側に折り返す工程や、スリーブ状部５の下辺から連設された各部も接着剤を塗布する工程は行われない。
【０１８１】
また、外箱部Ａ２においては、スリーブ状部１０５の上辺から連設された上面部１６０、１７０、１８０、１９０は、Ａ式であるとしたが、他の形式、例えば、Ｂ式（一対の内フラップと蓋部とを有し、蓋部が、スリーブ状部１０５から連設された蓋部本体と、蓋部本体の先端から連設され、スリーブ状部１０５の内側に差し込まれる差込み片部とを有するもの）としてもよい。
【０１８２】
また、上記の説明において、内箱部Ａにおいて、分離部２４、３４が設けられるのは、スリーブ状部５において相対する側面部（側面部２０と側面部３０）であるとしたが、これには限られず、スリーブ状部５を構成する４つの部材（正面部１０と側面部２０、３０と背面部４０）（４つの側面部としてもよい）において、互いに隣接する部材に分離部を設けてもよい。例えば、正面部１０の構成を図５における４つの部材のうちの端部に位置する部材（例えば、背面部４０）の位置に配置し、分離部を内側の２つの部材（図５における正面部１０と側面部２０の位置の部材）に配置してもよい。
【０１８３】
同様に、外箱部Ｂにおいて、片部２２４、２３４が設けられるのは、スリーブ状部２０５において相対する側面部（側面部２２０と側面部２３０）であるとしたが、これには限られず、スリーブ状部２０５を構成する４つの部材（正面部２１０と側面部２２０、２３０と背面部２４０）（４つの側面部としてもよい）において、互いに隣接する部材に分離部と接着する片部を設けてもよい。
【符号の説明】
【０１８４】
Ｐ  包装箱
Ａ  内箱部
Ｂ  外箱部
５、２０５  スリーブ状部
１０、２１０  正面部
１０ｈ、１０ｈａ、１０ｈｂ  開口部
２０、３０、２２０、２３０  側面部
２２、３２  本体部
２４、３４  分離部
２４ａ、３４ａ、１１０Ｋ、１２０Ｋ、１２２Ｋ、１１８Ｋａ、１１８Ｋａ−３、１１８Ｋｂ、１１８Ｋｂ−３、１１８Ｋｃ、１１８Ｋｄ、２２２、２３２  切目線
４０、２４０  背面部
４９、２４２  糊代部
５０  底面部
６０  第１片部
７０  第２片部
７４、８４  先端部
８０  第３片部
９０  第４片部
１１０  正面前板部
１１２  ポケット前部前板部
１１３  ポケット前部後構成部
１１４  ポケット前部後板部
１１６  連結板部
１１８  支持板部
１１８−１、１１８−２  突状部
１２０  ポケット上部左板部
１２２  ポケット上部右板部
１２４  正面後板部
１２６  接着板部
Ｃ１、Ｃ２、Ｃ３、Ｃ４、Ｃ５、Ｃ１０、Ｃ１１、Ｃ１２、Ｃ１３、Ｃ２１ａ、Ｃ２１ｂ、Ｃ２２ａ、Ｃ２２ｂ、Ｃ２３、Ｃ２４、Ｃ２５  折れ線
【図１】
2018016322.tif 000003
【図２】
2018016322.tif 000004
【図３】
2018016322.tif 000005
【図４】
2018016322.tif 000006
【図５】
2018016322.tif 000007
【図６】
2018016322.tif 000008
【図７】
2018016322.tif 000009
【図８】
2018016322.tif 000010
【図９】
2018016322.tif 000011
【図１０】
2018016322.tif 000012
【図１１】
2018016322.tif 000013
【図１２】
2018016322.tif 000014
【図１３】
2018016322.tif 000015
【図１４】
2018016322.tif 000016
【図１５】
2018016322.tif 000017
【図１６】
2018016322.tif 000018
【図１７】
2018016322.tif 000019
【図１８】
2018016322.tif 000020
【図１９】
2018016322.tif 000021
【図２０】
2018016322.tif 000022
【図２１】
2018016322.tif 000023
【図２２】
2018016322.tif 000024
【図２３】
2018016322.tif 000025
【図２４】
2018016322.tif 000026